(57)【特許請求の範囲】
【請求項１】
無線給電を行う給電手段と、
電子機器と通信を行う通信手段と、
前記電子機器が前記給電手段から出力される電力を用いて画像データ及び音声データの少なくとも一つを前記給電装置に送信することができない場合、前記電子機器に接続される電池の残容量に応じて、前記電子機器に画像データ及び音声データの送信を行わせることなく前記電子機器に前記給電手段から出力される電力を用いて前記電池の充電を行わせる制御手段と
を有することを特徴とする給電装置。
【請求項２】
前記制御手段は、前記電子機器が前記給電手段から出力される電力を用いて画像データ及び音声データの少なくとも一つを前記給電装置に送信することができる場合、画像データ及び音声データの少なくとも一つの送信を前記電子機器に許可し、前記電子機器に前記給電手段から出力される電力を用いて前記電池の充電を行わせることを特徴とする請求項１に記載の給電装置。
【請求項３】
前記制御手段は、前記電子機器の動作状態に応じて、前記給電手段を介して出力される電力を制御することを特徴とする請求項１または２に記載の給電装置。
【請求項４】
前記制御手段は、前記電子機器が受け取ることができる電力の大きさに応じて、前記給電手段を介して出力される電力を制御することを特徴とする請求項１から３のいずれか１項に記載の給電装置。
【請求項５】
前記通信手段は、前記電子機器と無線通信を行うことを特徴とする請求項１から４のいずれか１項に記載の給電装置。
【請求項６】
給電装置を制御する制御方法であって、
無線給電を行うステップと
電子機器が前記給電装置から出力される電力を用いて画像データ及び音声データの少なくとも一つを前記給電装置に送信することができない場合、前記電子機器に接続される電池の残容量に基づいて、前記電子機器に画像データ及び音声データの送信を行わせることなく前記電子機器に前記給電装置から出力される電力を用いて前記電池の充電を行わせるステップと
を有することを特徴とする制御方法。
【請求項７】
無線給電を行う給電手段と、
電子機器と通信を行う通信手段と、
前記電子機器が前記給電手段から出力される電力を用いることによって、前記通信手段によって受信されていない画像データ及び音声データの少なくとも一つを前記給電装置に送信することができるか否かについての判定結果と、前記電子機器が前記給電手段から出力される電力を用いて電池の充電を行うことができるか否かについての判定結果とに応じて、前記電子機器への無線給電を制御する制御手段と
を有することを特徴とする給電装置。
【請求項８】
前記制御手段は、前記電子機器が前記給電手段から出力される電力を用いることによって、前記通信手段によって受信されていない画像データ及び音声データの少なくとも一つを前記給電装置に送信することができる場合、前記通信手段によって受信されていない画像データ及び音声データの少なくとも一つの送信を前記電子機器に許可し、前記電子機器に前記給電手段から出力される電力を用いて前記電池の充電を行わせることを特徴とする請求項７に記載の給電装置。
【請求項９】
前記制御手段は、前記電子機器の動作状態に応じて、前記給電手段を介して出力される電力を制御することを特徴とする請求項７または８に記載の給電装置。
【請求項１０】
前記制御手段は、前記電子機器が受け取ることができる電力の大きさに応じて、前記給電手段を介して出力される電力を制御することを特徴とする請求項７から９のいずれか１項に記載の給電装置。
【請求項１１】
前記通信手段は、前記電子機器と無線通信を行うことを特徴とする請求項７から１０のいずれか１項に記載の給電装置。
【請求項１２】
給電装置を制御する制御方法であって、
無線給電を行うステップと
電子機器が前記給電装置から出力される電力を用いることによって、前記給電装置に送信されていない画像データ及び音声データの少なくとも一つを前記給電装置に送信することができるか否かについての判定結果と、前記電子機器が前記給電装置から出力される電力を用いて電池の充電を行うことができるか否かについての判定結果とに応じて、前記電子機器への無線給電を制御するステップと
を有することを特徴とする制御方法。
【請求項１３】
無線給電を行う給電手段と、
電子機器と通信を行う通信手段と、
前記通信手段によって受信されたデータを記録媒体に格納する格納手段と、
前記電子機器が前記給電手段から出力される電力を用いることによって、前記記録媒体に格納されていない画像データ及び音声データの少なくとも一つを前記給電装置に送信することができるか否かについての判定結果と、前記電子機器が前記給電手段から出力される電力を用いて電池の充電を行うことができるか否かについての判定結果とに応じて、前記電子機器への無線給電を制御する制御手段と
を有することを特徴とする給電装置。
【請求項１４】
前記制御手段は、前記電子機器が前記給電手段から出力される電力を用いることによって、前記記録媒体に格納されていない画像データ及び音声データの少なくとも一つを前記給電装置に送信することができる場合、前記記録媒体に格納されていない画像データ及び音声データの少なくとも一つの送信を前記電子機器に許可し、前記電子機器に前記給電手段から出力される電力を用いて前記電池の充電を行わせることを特徴とする請求項１３に記載の給電装置。
【請求項１５】
前記制御手段は、前記電子機器の動作状態に応じて、前記給電手段を介して出力される電力を制御することを特徴とする請求項１３または１４に記載の給電装置。
【請求項１６】
前記制御手段は、前記電子機器が受け取ることができる電力の大きさに応じて、前記給電手段を介して出力される電力を制御することを特徴とする請求項１３から１５のいずれか１項に記載の給電装置。
【請求項１７】
前記通信手段は、前記電子機器と無線通信を行うことを特徴とする請求項１３から１６のいずれか１項に記載の給電装置。
【請求項１８】
給電装置を制御する制御方法であって、
無線給電を行うステップと
電子機器が前記給電装置から出力される電力を用いることによって、前記給電装置に格納されていない画像データ及び音声データの少なくとも一つを前記給電装置に送信することができるか否かについての判定結果と、前記電子機器が前記給電装置から出力される電力を用いて電池の充電を行うことができるか否かについての判定結果とに応じて、前記電子機器への無線給電を制御するステップと
を有することを特徴とする制御方法。
【発明の詳細な説明】
【技術分野】
【０００１】
本発明は、非接触により給電を行う給電装置に関する。
【背景技術】
【０００２】
近年、コネクタで接続することなく非接触で電力を送信する給電装置と、給電装置から送信された電力によって装着されている電池の充電を行う電子機器とを含む給電システムが知られている。このような非接触給電システムにおいて、電子機器に対して電磁界共鳴現象を利用して給電を行う給電装置が知られている（特許文献１）。
【先行技術文献】
【特許文献】
【０００３】
【特許文献１】特開２０１０−０６３２４５号公報
【発明の概要】
【発明が解決しようとする課題】
【０００４】
従来、給電装置が複数の給電先から特定の給電先となる電子機器を選択することは開示されているが、選択した電子機器に対してどのように充電を行わせるか、選択した電子機器に対してどのように給電を行うかについては開示されていなかった。
【０００５】
このため、給電装置は、各電子機器に対して適切な充電を行わせることができなかった。
【０００６】
そこで、本発明は、給電装置が電子機器に対して適切な充電を行わせるようにすることを目的とする。
【課題を解決するための手段】
【０００７】
本発明に係る給電装置は、無線給電を行う給電手段と、電子機器と通信を行う通信手段と、前記電子機器が前記給電手段から出力される電力を用いて画像データ及び音声データの少なくとも一つを前記給電装置に送信することができない場合、前記電子機器に接続される電池の残容量に応じて、前記電子機器に画像データ及び音声データの送信を行わせることなく前記電子機器に前記給電手段から出力される電力を用いて前記電池の充電を行わせる制御手段とを有することを特徴とする。
また、本発明に係る給電装置は、無線給電を行う給電手段と、電子機器と通信を行う通信手段と、前記電子機器が前記給電手段から出力される電力を用いることによって、前記通信手段によって受信されていない画像データ及び音声データの少なくとも一つを前記給電装置に送信することができるか否かについての判定結果と、前記電子機器が前記給電手段から出力される電力を用いて電池の充電を行うことができるか否かについての判定結果とに応じて、前記電子機器への無線給電を制御する制御手段とを有することを特徴とする。
また、本発明に係る給電装置は、無線給電を行う給電手段と、電子機器と通信を行う通信手段と、前記通信手段によって受信されたデータを記録媒体に格納する格納手段と、前記電子機器が前記給電手段から出力される電力を用いることによって、前記記録媒体に格納されていない画像データ及び音声データの少なくとも一つを前記給電装置に送信することができるか否かについての判定結果と、前記電子機器が前記給電手段から出力される電力を用いて電池の充電を行うことができるか否かについての判定結果とに応じて、前記電子機器への無線給電を制御する制御手段とを有することを特徴とする。
【発明の効果】
【０００８】
本発明によれば、給電装置が電子機器に対して適切な充電を行わせるようにすることができる。
【図面の簡単な説明】
【０００９】
【図１】実施例１における給電システムの一例を示したブロック図である。
【図２】実施例１における給電装置１００の整合回路１０３の構成の一例を示す図である。
【図３】実施例１における給電装置１００によって行われる第１の給電処理の一例を示すフローチャートである。
【図４】実施例１における給電装置１００によって行われる第１の給電制御処理の一例を示すフローチャートである。
【図５】実施例１における給電装置１００によって行われる第２の給電処理の一例を示すフローチャートである。
【図６】実施例１における給電装置１００によって行われる送信確認処理の一例を示すフローチャートである。
【図７】実施例１における給電装置１００によって行われる第２の給電制御処理の一例を示すフローチャートである。
【図８】実施例１における電子機器２００によって行われるコマンド受信処理の一例を示すフローチャートである。
【図９】実施例１における電子機器２００によって行われるコマンド受信処理の一例を示すフローチャートである。
【図１０】実施例１における電子機器２００によって行われるコマンド受信処理の一例を示すフローチャートである。
【図１１】実施例１における電子機器２００によって行われるコマンド受信処理の一例を示すフローチャートである。
【図１２】実施例１における電子機器２００によって行われる給電準備処理の一例を示すフローチャートである。
【図１３】実施例１における電子機器２００によって行われる充電処理の一例を示すフローチャートである。
【図１４】実施例１における電子機器２００によって行われる通信モード変更処理の一例を示すフローチャートである。
【図１５】実施例１における電子機器２００によって行われる送信処理の一例を示すフローチャートである。
【図１６】実施例１における電子機器２００によって行われる残容量検出処理の一例を示すフローチャートである。
【図１７】実施例１における電子機器２００によって行われるエラー処理の一例を示すフローチャートである。
【発明を実施するための形態】
【００１０】
［実施例１］
以下、本発明の実施例１について、図面を参照して詳細に説明する。実施例１に係る給電システムは、図１に示すように給電装置１００と、電子機器２００とを有する。給電装置１００は、非接触で電力を電子機器２００に供給するための給電アンテナ１０８を有し、電子機器２００は、給電装置１００から非接触で供給される電力を受信するための受電アンテナ２０１を有する。
【００１１】
給電装置１００は、給電アンテナ１０８を介して非接触で電子機器２００に対して電力を送信する。電子機器２００は、受電アンテナ２０１を介して給電装置１００から非接触で送信された電力に応じて、電子機器２００に接続されている電池２１０の充電を行う。なお、給電装置１００は電子機器２００が２つ以上であっても、非接触で電力を送信できるものとする。
【００１２】
電子機器２００は、電池２１０から供給される電力によって動作する装置であれば、デジタルスチルカメラ、カメラ付き携帯電話、デジタルビデオカメラや音楽プレイヤ等であってもよい。
【００１３】
なお、実施例１に係る給電システムは、給電装置１００が電磁誘導によって電力を電子機器２００に送信し、電子機器２００が電磁誘導によって給電装置１００から電力を受信するシステムであってもよい。また、給電装置１００が電磁界共鳴によって電力を電子機器２００に送信し、電子機器２００が電磁界共鳴によって給電装置１００から電力を受信するシステムであってもよい。
【００１４】
実施例１に係る電子機器２００は、給電装置１００と電子機器２００との距離が所定の範囲内に存在する場合、給電装置１００から電力を受信することができる。また、電子機器２００は、給電装置１００と電子機器２００との距離が所定の範囲内に存在しない場合、給電装置１００から電力を受信することができない。所定の範囲とは、給電装置１００と電子機器２００とが互いに通信を行うことができる範囲である。
【００１５】
給電装置１００は、発振器１０１、電力送信回路１０２、整合回路１０３、変復調回路１０４、ＣＰＵ１０５、ＲＯＭ１０６、ＲＡＭ１０７、給電アンテナ１０８、タイマー１０９、記録再生部１１０、変換部１１１、通信部１１２及びを表示部１１３を有する。
【００１６】
発振器１０１は、不図示のＡＣ電源から変換部１１１を介して供給される直流電力をＣＰＵ１０５で決定された目標値に対応する電力に変換して電子機器２００に供給するために用いられる高い周波数を発振する。
【００１７】
電力送信回路１０２は、発振器１０１によって発振される周波数に応じて、給電アンテナ１０８を介して電子機器２００に供給するための電力を発生させる。電力送信回路１０２で発生した電力は、整合回路１０３に供給される。また、電力送信回路１０２によって発生される電力には、給電装置１００が電子機器２００に電子機器２００を制御するためのコマンドを送信するための第１の電力と、給電装置１００が電子機器２００に電池２１０の充電を行わせるための第２の電力とがある。第２の電力は、第１の電力よりも高い電力であり、給電装置１００が第２の電力を電子機器２００に送信している場合、給電装置１００はコマンドを電子機器２００に送信することができない。また、第１の電力は、どのような電子機器に対しても給電装置１００がコマンドを送信できるようにＣＰＵ１０５によって設定される電力である。
【００１８】
ＣＰＵ１０５は、電子機器２００に送信する電力を、第１の電力か、第２の電力かに切り替えるように電力送信回路１０２を制御する。
【００１９】
整合回路１０３は、発振器１０１によって発振される周波数に応じて、給電アンテナ１０８と受電アンテナ２０１との間で共振を行うための共振回路である。整合回路１０３は、図２の示すように、可変コンデンサ３０１及び３０２、可変コイル３０３及び可変抵抗３０４等を有し、電力送信回路１０２と給電アンテナ１０８とのインピーダンスの整合を行う。
【００２０】
ＣＰＵ１０５は、発振器１０１によって発振される周波数を、給電アンテナ１０８と受電アンテナ２０１とが共振するための周波数にするために、整合回路１０３の可変コンデンサ３０１及び３０２、可変コイル３０３及び可変抵抗３０４の値を制御する。給電アンテナ１０８と受電アンテナ２０１とが共振するための周波数を以下「共振周波数ｆ」と呼ぶ。
【００２１】
共振周波数ｆは、下記の数式（１）によって示されるものとする。Ｌは、整合回路１０３のインダクタンス、Ｃは整合回路１０３のキャパシタンスを示す。
【００２２】
【数１】
0005693148.tif 000002
【００２３】
ＣＰＵ１０５は、発振器１０１によって発振される周波数が、所定の共振周波数ｆになるように整合回路１０３のインダクタンスＬの値及び整合回路１０３のキャパシタンスＣの値を変更するように整合回路１０３を制御する。
【００２４】
可変コンデンサ３０１、可変コンデンサ３０２は、インピーダンス整合のためのコンデンサである。また、可変コンデンサ３０２は、数式（１）によって求められる共振周波数ｆを調整するためのコンデンサでもある。
【００２５】
可変コイル３０３は、数式（１）によって求められる共振周波数ｆを調整するためのコイルである。
【００２６】
また、整合回路１０３は、可変コンデンサ３０１及び３０２以外にもさらにコンデンサを有していてもよく、可変コイル３０３以外にもさらにコイルを有していてもよく、可変抵抗３０４以外にさらに抵抗を有していてもよいものとする。なお、共振周波数ｆは、商用周波数である５０／６０Ｈｚであってもよく、１０〜数百ｋＨｚであってもよく、１０ＭＨｚ前後の周波数であってもよい。
【００２７】
さらに、整合回路１０３は、給電アンテナ１０８に流れる電流、及び給電アンテナ１０８に供給される電圧の変化を検出することもできる。
【００２８】
変復調回路１０４は、コマンドを電子機器２００に送信するために、予め定められたプロトコルに応じて、電力送信回路１０２によって発生された電力の変調を行う。予め定められたプロトコルとは、例えば、ＲＦＩＤ（Ｒａｄｉｏ  Ｆｒｅｑｕｅｎｃｙ  ＩＤｅｎｔｉｆｉｃａｔｉｏｎ）等の通信プロトコルである。電力送信回路１０２によって発生された電力は、変復調回路１０４によって、電子機器２００と通信を行うためのコマンドとして、パルス信号に変換され、電子機器２００に送信される。電子機器２００に送信されたパルス信号は、電子機器２００により解析されることによって、「１」と「０」との情報を含むビットデータとして認識される。なお、コマンドには、宛先を識別するための情報及びコマンドによって指示される動作を示すコマンドコード等が含まれる。
【００２９】
変復調回路１０４は、電力送信回路１０２によって発生された電力を、振幅変位を利用したＡＳＫ（Ａｍｐｌｉｔｕｄｅ  Ｓｈｉｆｔ  Ｋｅｙｉｎｇ）変調によって、パルス信号に変換する。ＡＳＫ変調は、振幅変位を利用した変調であり、ＩＣカードと、ＩＣカードと非接触で通信を行うカードリーダとの通信等で用いられる。
【００３０】
また、変復調回路１０４は、コマンドを電子機器２００に送信した場合、整合回路１０３で検出された給電アンテナ１０８に流れる電流の変化に応じて、電子機器２００に送信したコマンドに対する電子機器２００からの応答信号を復調することができる。このことによって、変復調回路１０４は、負荷変調方式によって、電子機器２００に送信したコマンドに対する応答信号を電子機器２００から受信することができる。変復調回路１０４は、ＣＰＵ１０５からの指示に応じてコマンドを電子機器２００に送信する。さらに、変復調回路１０４は、電子機器２００からの応答信号を受信した場合、受信した応答信号をＣＰＵ１０５に供給する。
【００３１】
ＣＰＵ１０５は、不図示のＡＣ電源と接続されている場合、不図示のＡＣ電源から変換部１１１を介して供給される電力によって、給電装置１００の各部を制御する。また、ＣＰＵ１０５は、ＲＯＭ１０６に記憶されているコンピュータプログラムを実行することによって、給電装置１００の各部の動作を制御する。ＣＰＵ１０５は電力送信回路１０２を制御することにより電子機器２００に供給する電力を制御する。また、ＣＰＵ１０５は、変復調回路１０４を制御することにより、コマンドを電子機器２００に送信する。
【００３２】
ＲＯＭ１０６は、給電装置１００の各部の動作を制御するコンピュータプログラム及び各部の動作に関するパラメータ等の情報を記憶する。
【００３３】
ＲＡＭ１０７は、書き換え可能な不揮発性メモリであり、一時的に給電装置１００の各部の動作を制御するコンピュータプログラム、各部の動作に関するパラメータ等の情報、変復調回路１０４によって電子機器２００から受信された情報等を記録する。また、ＲＡＭ１０７は、給電装置１００が給電する対象を管理するための管理テーブルを記録する。なお、ＲＡＭ１０７に記録されている管理テーブルには、給電装置１００が電子機器２００から取得した機器情報に含まれる情報が登録される。
【００３４】
給電アンテナ１０８は、電子機器２００に電力送信回路１０２により発生された電力を電子機器２００に送信するためのアンテナである。
【００３５】
タイマー１０９は、現在の時刻や各部で行われる動作に係る時間等を計測する。また、タイマー１０９に対する閾値は、ＲＯＭ１０６にあらかじめ記録されている。
【００３６】
記録再生部１１０は、電子機器２００から通信部１１２を介して受信した映像データや音声データ等を記録媒体１１０ａに記録する。また、記録再生部１１０は、映像データや音声データ等を記録媒体１１０ａから読み出し、ＲＡＭ１０７、通信部１１２及び表示部１１３に供給することもできる。なお、記録媒体１１０ａは、ハードディスクやメモリカード等であってもよい。また、記録媒体１１０ａは、給電装置１００に内蔵されていても、給電装置１００に着脱可能な外部の記録媒体であってもよい。
【００３７】
変換部１１１は、不図示のＡＣ電源が接続される場合、不図示のＡＣ電源から供給される交流電力を直流電力に変換し、変換した直流電力を給電装置１００全体に供給する。
【００３８】
通信部１１２は、ＲＡＭ１０７や記録媒体１１０ａに格納されている映像データや音声データを電子機器２００に送信したり、電子機器２００から送信される映像データや音声データを受信することができる。例えば、通信部１１２は、ＵＳＢ（Ｕｎｉｖｅｒｓａｌ  Ｓｅｒｉａｌ  Ｂｕｓ）などのシリアルバスインターフェースやＨＤＭＩ等のインターフェースを用いて映像データや音声データの送受信を行ってもよい。また、通信部１１２は、無線通信方式に準拠した通信により映像データや音声データの送信や受信を行ってもよい。また、例えば、通信部１１２は、無線ＬＡＮ規格に規定されている８０２．１１ａ、ｂ、ｇ、ｎ規格に準拠した信号に変調することにより映像データや音声データの送信や受信を行ってもよい。
【００３９】
なお、通信部１１２は、変復調回路１０４によりコマンドが給電装置１００から電子機器２００に送信されている場合であっても、電子機器２００から映像データや音声データを受信したり、映像データや音声データを電子機器２００に送信することができる。通信部１１２は、記録再生部１１０から映像データや音声データを供給された場合、記録再生部１１０から供給された映像データや音声データを電子機器２００に送信することができる。
【００４０】
表示部１１３は、記録再生部１１０によって記録媒体１１０ａから読み出された映像データや給電装置１００の動作状態を示すアイコン等を表示する。また、表示部１１３は、通信部１１２が電子機器２００から受信した映像データを表示してもよい。表示部１１３は、記録再生部１１０から映像データ場合、記録再生部１１０から供給された映像データを表示することができる。
【００４１】
給電装置１００はさらに不図示のスピーカ部を有していてもよい。不図示のスピーカ部は、記録再生部１１０によって記録媒体１１０ａから読み出された音声データや通信部１１２が電子機器２００から受信した音声データを出力してもよい。
【００４２】
なお、給電装置１００は給電モードとして、第１の給電モードと、第２の給電モードとを有する。第１の給電モードとは、給電装置１００が電子機器２００に対して第１の電力及び第２の電力のいずれか一つだけを送信するためのモードである。また、第２の給電モードとは、給電装置１００が電子機器２００に対して第１の電力及び第２の電力のいずれか一つを送信しながら、給電装置１００が通信部１１２を介して電子機器２００と、映像データや音声データの送受信を行うためのモードである。
【００４３】
なお、電力送信回路１０２、整合回路１０３及び変復調回路１０４を少なくとも含む手段を「第１の通信手段」とし、通信部１１２を「第２の通信手段」とする。
【００４４】
次に電子機器２００について説明を行う。電子機器２００は、受電アンテナ２０１、整合回路２０２、整流平滑回路２０３、変復調回路２０４、ＣＰＵ２０５、ＲＯＭ２０６、ＲＡＭ２０７、レギュレータ２０８、充電制御部２０９、電池２１０、タイマー２１１、通信部２１２及び撮像部２１３を有する。
【００４５】
受電アンテナ２０１は、給電装置１００から供給された電力を受信するためのアンテナである。
【００４６】
整合回路２０２は、給電装置１００の共振周波数ｆと同じ周波数で受電アンテナ２０１が共振するように、インピーダンスの整合を行うための共振回路である。整合回路２０２は、可変コンデンサ、可変コイル及び可変抵抗等を有する。ＣＰＵ２０５は、給電装置１００の共振周波数ｆと同じ周波数で受電アンテナ２０１が共振するように、整合回路２０２の可変コンデンサのキャパシタンスの値、可変コイルのインダクタンスの値及び可変抵抗のインピーダンスの値を制御する。
【００４７】
整流平滑回路２０３は、受電アンテナ２０１によって受信された電力からコマンド及びノイズを取り除き、電池２１０を充電するための直流電力を生成する。さらに、整流平滑回路２０３は、生成した直流電力をレギュレータ２０８に供給する。整流平滑回路２０３は、受電アンテナ２０１によって受信された電力から取り除いたコマンドを変復調回路２０４に供給する。
【００４８】
変復調回路２０４は、整流平滑回路２０３から供給されたコマンドを給電装置１００と予め決められた通信プロトコルに応じて解析し、コマンドの解析結果をＣＰＵ１０５に供給する。
【００４９】
ＣＰＵ２０５は、変復調回路２０４から供給された解析結果に応じて変復調回路２０４が受信したコマンドがどのようなコマンドであるかを判定し、受信したコマンドに対応するコマンドコードで指定されている処理を行う。
【００５０】
また、ＣＰＵ２０５は、ＲＯＭ２０６に記憶されているコンピュータプログラムを実行することによって、電子機器２００の各部の動作を制御する。
【００５１】
ＲＯＭ２０６は、電子機器２００の各部の動作を制御するコンピュータプログラム及び各部の動作に関するパラメータ等の情報を記憶する。また、ＲＯＭ２０６には、電子機器２００の機器情報、電子機器２００の受電能力情報及び表示データ等が記録される。電子機器２００の機器情報には、電子機器２００の識別ＩＤ、製造者名、装置名、製造年月日、電子機器２００が給電装置１００から非接触で送信される電力を受信するための手段を有するか否かを示す情報等が含まれる。なお、給電装置１００から非接触で送信される電力を受信するための手段を以下、「受電手段」と呼ぶ。なお、受電手段には、受電アンテナ２０１が少なくとも含まれる。なお、受電手段には、受電アンテナ２０１以外にも、さらに整合回路２０２、整流平滑回路２０３及び変復調回路２０４が含まれていてもよい。
【００５２】
電子機器２００の受電能力情報には、電子機器２００が最大に受信することができる電力を示す情報及び電子機器２００が最低限受信することができる電力を示す情報が含まれる。さらに、電子機器２００の受電能力情報には、電子機器２００がコマンドによって給電装置１００と通信を行う場合に必要な電力を示す情報等が含まれる。さらに、電子機器２００の受電能力情報には、電子機器２００が通信部２１２を動作させるために必要な電力を示す情報、電子機器２００が充電のために必要な電力を示す情報及び電子機器２００が充電機能を有するか否かを示す情報等が含まれる。さらに、さらに、電子機器２００の受電能力情報には、電子機器２００が撮像部２１３を動作させるために必要な電力を示す情報が含まれる。また、電子機器２００の受電能力情報には、電子機器２００が有する受電手段の数を示す情報も含まれる。なお、電子機器２００及び電池２１０が受電手段を有している場合、電子機器２００が有する受電手段の数は２となる。また、なお、電子機器２００が受電手段を有している場合、電子機器２００が有する受電手段の数は１となる。
【００５３】
ＲＡＭ２０７は、書き換え可能な不揮発性メモリであり、一時的に給電装置１００の各部の動作を制御するコンピュータプログラム、各部の動作に関するパラメータ等の情報、給電装置１００から送信された情報等を記録する。
【００５４】
レギュレータ２０８は、整流平滑回路２０３から供給された直流電力の電圧がＣＰＵ２０５によって設定された電圧値になるように制御する。なお、整流平滑回路２０３からレギュレータ２０８を介してＣＰＵ２０５によって設定された電圧値になるように制御された直流電力は、充電制御部２０９に供給される。
【００５５】
また、レギュレータ２０８は、電池２１０から供給される電力の電圧がＣＰＵ２０５によって設定された電圧値になるように制御する。電池２１０からレギュレータ２０８を介してＣＰＵ２０５によって設定された電圧値になるように制御された直流電力は、少なくともＣＰＵ２０５、ＲＯＭ２０６及びＲＡＭ２０７に供給される。
【００５６】
また、レギュレータ２０８は、不図示のＡＣ電源から供給される電力の電圧がＣＰＵ２０５によって設定された電圧値になるように制御する。不図示のＡＣ電源からレギュレータ２０８を介してＣＰＵ２０５によって設定された電圧値になるように制御された直流電力は、少なくともＣＰＵ２０５、ＲＯＭ２０６及びＲＡＭ２０７に供給される。
【００５７】
充電制御部２０９は、レギュレータ２０８から直流電力を供給された場合、電池２１０の充電を行う。また、充電制御部２０９は、装着されている電池２１０の残りの容量を示す情報を定期的に検出し、ＣＰＵ２０５に供給する。ＣＰＵ２０５は、充電制御部２０９から供給された電池２１０の残りの容量を示す情報（以下「残容量情報」と呼ぶ）をＲＡＭ２０７に記録する。
【００５８】
電池２１０は、電子機器２００に着脱可能な電池である。また、電池２１０は、充電可能な二次電池であり、例えばリチウムイオン電池等である。電池２１０は、電子機器２００の各部に対して電力を供給することができる。
【００５９】
タイマー２１１は、現在の時刻や各部で行われる動作に係る時間等を計測する。なお、また、タイマー２１１に対する閾値は、ＲＯＭ２０６にあらかじめ記録されている。
【００６０】
通信部２１２は、ＲＯＭ２０６や記録媒体２１３ｂに記録されている映像データや音声データを給電装置１００に送信したり、給電装置１００から映像データや音声データを受信することもできる。例えば、通信部２１２は、ＵＳＢなどのシリアルバスインターフェースを用いて映像データや音声データの送信や受信を行う。また、例えば、通信部２１２は、無線ＬＡＮとして規定されている８０２．１１ａ、ｂ、ｇ、ｎ規格に準拠した信号に変調することで映像データや音声データの送信や受信を行ってもよい。
【００６１】
撮像部２１３は、撮像素子、画像処理部、エンコード制御部、記録部２１３ａ及び記録媒体２１３ｂ等を含んでいる。撮像部２１３は、被写体から映像データの撮影を行い、撮影の結果により得られた静止画像や動画像等の映像データを記録媒体２１３ｂに記録する。さらに、撮像部２１３は、電子機器２００において、被写体の撮影を行うために必要な構成を有していてもよい。
【００６２】
なお、電子機器２００は、充電を行うための充電モードとして後述する第１の充電モードと第２の充電モードとを有するものとする。また、電子機器２００は、後述する通信モードや給電準備モードを動作モードとしてさらに有するものとする。なお、電子機器２００は、第１の充電モードである場合、第１の充電モードに応じた動作を行いながら、通信モードに応じた動作や給電準備モードに応じた動作を行うことができる。また、電子機器２００は、第２の充電モードである場合、第１の充電モードに応じた動作を行いながら、通信モードに応じた動作や給電準備モードに応じた動作を行うこともできる。
【００６３】
電子機器２００の電源がオンの状態である場合を「電源オン状態」と呼び、電子機器２００の電源がオフの状態である場合を「電源オフ状態」と呼ぶ。なお、電子機器２００の電源がオンである状態とは、電子機器２００全体に電力が供給されている状態である。電子機器２００の電源がオフである状態とは、受電アンテナ２０１、整合回路２０２、整流平滑回路２０３、変復調回路２０４、ＣＰＵ２０５、ＲＯＭ２０６、ＲＡＭ２０７、レギュレータ２０８、充電制御部２０９、電池２１０及びタイマー２１１に必要な電力が供給されているが、通信部２１２及び撮像部２１３には電力が供給されていない状態である。
【００６４】
なお、給電アンテナ１０８及び受電アンテナ２０１は、ヘリカルアンテナであっても、メアンダラインアンテナ等の平面状のアンテナであってもよいものとする。
【００６５】
また、実施例１において、給電装置１００は、電子機器２００に対して非接触で電力を送信し、電子機器２００は、給電装置１００から非接触で電力を受信するものとしたが、「非接触」を「無線」や「無接点」と言い換えてもよいものとする。
【００６６】
また、給電アンテナ１０８の代わりに電極を給電装置１００に設け、受電アンテナ２０１の代わりに電極を電子機器２００に設けることにより、給電装置１００が非接触で電力を電子機器２００に供給するシステムにおいても、本発明を適用することができるものとする。
【００６７】
また、給電装置１００が電界結合によって非接触で電子機器２００に電力を供給するシステムにおいても、本発明を適用できるものとする。
【００６８】
（第１の給電処理）
給電装置１００の給電モードが第１の給電モードになるように設定された場合、給電装置１００によって行われる第１の給電処理について、図３のフローチャートを用いて説明する。なお、この場合、給電装置１００の給電の対象として電子機器２００が給電装置１００に選択されているものとして説明を行う。
【００６９】
Ｓ３０１において、ＣＰＵ１０５は、電子機器２００とコマンドによる通信を行うために第１の電力を電子機器２００に送信するように発振器１０１、電力送信回路１０２及び整合回路１０３を制御する。この場合、本フローチャートはＳ３０１からＳ３０２に進む。
【００７０】
Ｓ３０２において、ＣＰＵ１０５は、電子機器２００の残容量情報を要求するための第１のコマンドを電子機器２００に送信するように変復調回路１０４を制御する。さらに、ＣＰＵ１０５は、第１のコマンドに対応する応答信号を受信するように変復調回路１０４を制御する。ＣＰＵ１０５によって、変復調回路１０４が第１のコマンドに対応する応答信号を受信していないと判定された場合、本フローチャートは、終了する。この場合、ＣＰＵ１０５は、第１の電力を電子機器２００に送信しないように発振器１０１、電力送信回路１０２及び整合回路１０３を制御する。ＣＰＵ１０５によって、変復調回路１０４が第１のコマンドに対応する応答信号を受信したと判定された場合、本フローチャートは、Ｓ３０２からＳ３０３に進む。
【００７１】
Ｓ３０３において、ＣＰＵ１０５は、Ｓ３０２において受信した第１のコマンドに対応する応答信号に含まれる残容量情報に応じて、電子機器２００が充電可能な状態か否かを判定する。ＣＰＵ１０５によって、電池２１０が満充電であると判定された場合、ＣＰＵ１０５は、電子機器２００が充電可能な状態でないと判定する。ＣＰＵ１０５によって、第１のコマンドに対応する応答信号にエラー情報が含まれていると判定された場合、ＣＰＵ１０５は、電子機器２００が充電可能な状態でないと判定する。また、ＣＰＵ１０５によって、電池２１０が満充電でないと判定された場合であっても、電子機器２００が不図示のＡＣ電源と接続されたことが検出された場合、ＣＰＵ１０５は、電子機器２００が充電可能な状態でないと判定する。ＣＰＵ１０５によって、電子機器２００が充電可能な状態でないと判定された場合（Ｓ３０３のＮｏ）、本フローチャートは、終了する。この場合も、ＣＰＵ１０５は、第１の電力を電子機器２００に送信しないように発振器１０１、電力送信回路１０２及び整合回路１０３を制御する。
【００７２】
ＣＰＵ１０５によって、電池２１０が満充電でない場合であって、電子機器２００が不図示のＡＣ電源と接続されたことが検出されていない場合、ＣＰＵ１０５は、電子機器２００が充電可能な状態であると判定する。ＣＰＵ１０５によって、電子機器２００が充電可能な状態であると判定された場合（Ｓ３０３のＹｅｓ）、本フローチャートは、Ｓ３０３からＳ３０４に進む。
【００７３】
Ｓ３０４において、ＣＰＵ１０５は、給電準備処理の開始を通知するための第２のコマンドを電子機器２００に送信するように変復調回路１０４を制御する。給電準備処理とは、給電効率及び動作情報を検出するための処理である。給電効率とは、給電装置１００から送信された電力に対してどれくらいの電力を電子機器２００が受信できるかを示す情報である。また、動作情報とは、電子機器２００が特定の動作を行う場合に必要な電力を示す情報である。動作情報には、給電装置１００から受信した電力によって電子機器２００が通信部２１２を動作させることができるか否かを示す情報及び給電装置１００から受信した電力によって撮像部２１３全体を動作させることができるか否かを示す情報等が含まれる。さらに、動作情報には、給電装置１００から受信した電力によって電池２１０の充電を行うことができるか否かを示す情報及び給電装置１００から受信した電力によって電子機器２００全体に電力を供給することができるか否かを示す情報が含まれる。なお、給電効率及び動作情報を以下「検出情報」と呼ぶ。
【００７４】
なお、給電準備処理は、給電装置１００が電子機器２００に電池２１０の充電を行わせる前にＣＰＵ１０５が行う処理である。第２のコマンドには、給電効率を検出するために給電装置１００が電子機器２００に電力を送信する時間を示す時間情報と、給電効率を検出するために給電装置１００が電子機器２００に送信する電力を示す給電電力情報とが含まれている。
【００７５】
第２のコマンドを電子機器２００が受け付けた場合、電子機器２００は、時間情報によって示される時間が経過するまでの間、給電装置１００から送信された電力を受信し、給電装置１００から受信した電力を示す受電電力情報を検出する。さらに、電子機器２００は、給電電力情報と、受電電力情報とに応じて給電効率を検出し、動作情報を検出する。ＣＰＵ１０５によって、変復調回路１０４が第２のコマンドに対応する応答信号を受信したと判定された場合、ＣＰＵ１０５は、第２のコマンドに対応する応答信号を受信してから経過した時間を測定するためにタイマー１０９を制御する。この場合、本フローチャートはＳ３０４からＳ３０５に進む。
【００７６】
Ｓ３０５において、ＣＰＵ１０５は、給電準備処理を行うための電力を電子機器２００に送信するように発振器１０１、電力送信回路１０２及び整合回路１０３を制御する。さらに、ＣＰＵ１０５は、タイマー１０９で計測されている時間が第２のコマンドに含まれる時間情報によって示される時間を経過したか否かを判定する。ＣＰＵ１０５によって、タイマー１０９で計測されている時間が時間情報によって示される時間を経過していないと判定された場合、ＣＰＵ１０５は給電準備処理を行うための電力を電子機器２００に継続して送信するように制御する。この場合、ＣＰＵ１０５は、給電準備処理を行うための電力を継続して電子機器２００に送信するように発振器１０１、電力送信回路１０２及び整合回路１０３を制御する。給電準備処理を行うための電力は、第１の電力よりも高い電力であれば、第２の電力と等しい電力であってもよい。
【００７７】
ＣＰＵ１０５によって、タイマー１０９で計測されている時間が時間情報によって示される時間を経過したと判定された場合、ＣＰＵ１０５は、給電準備処理を行うための電力の電子機器２００への送信を停止させる。この場合、ＣＰＵ１０５は、給電準備処理を行うための電力の電子機器２００への送信を停止するように発振器１０１、電力送信回路１０２及び整合回路１０３を制御する。この場合、本フローチャートはＳ３０５からＳ３０６に進む。
【００７８】
Ｓ３０６において、ＣＰＵ１０５は、給電準備処理の終了を通知するための第３のコマンドを電子機器２００に送信するように変復調回路１０４を制御する。ＣＰＵ１０５によって、変復調回路１０４が第３のコマンドに対応する応答信号を受信したと判定された場合、本フローチャートはＳ３０６からＳ３０７に進む。
【００７９】
Ｓ３０７において、ＣＰＵ１０５は、電子機器２００から給電準備処理によって電子機器２００で検出された検出情報を要求するための第４のコマンドを電子機器２００に送信するように変復調回路１０４を制御する。ＣＰＵ１０５によって、変復調回路１０４が受信した第４のコマンドに対応する応答信号から検出情報を取得したと判定された場合、本フローチャートはＳ３０７からＳ３０８に進む。
【００８０】
Ｓ３０８において、ＣＰＵ１０５は、Ｓ３０７において取得した検出情報に応じて、給電装置１００から送信される電力によって、電子機器２００が電池２１０の充電を行うことができるか否かを判定する（第２の判定）。ＣＰＵ１０５によって、給電装置１００から送信される電力によって、電子機器２００が電池２１０の充電を行うことができると判定された場合（Ｓ３０８のＹｅｓ）、本フローチャートは、Ｓ３０８からＳ３１３に進む。ＣＰＵ１０５によって、給電装置１００から送信される電力により、電子機器２００が電池２１０の充電を行えないと判定された場合（Ｓ３０８のＮｏ）、本フローチャートは、Ｓ３０８からＳ３０９に進む。
【００８１】
Ｓ３０９において、ＣＰＵ１０５は、電子機器２００から受電能力情報を取得し、電子機器２００から取得した受電能力情報に応じて、電子機器２００が複数の受電手段を有しているか否かを判定する。ＣＰＵ１０５によって、電子機器２００が複数の受電手段を有していると判定された場合（Ｓ３０９のＹｅｓ）、本フローチャートはＳ３０９からＳ３１０に進む。ＣＰＵ１０５によって、電子機器２００が複数の受電手段を有していないと判定された場合（Ｓ３０９のＮｏ）、本フローチャートはＳ３０９からＳ３１１に進む。
【００８２】
Ｓ３１０において、ＣＰＵ１０５は、無効にした受電手段を有効するように要求するための第５のコマンドを電子機器２００に送信するように変復調回路１０４を制御する。ＣＰＵ１０５によって、変復調回路１０４が第５のコマンドに対応する応答信号を受信したと判定された場合、本フローチャートは、Ｓ３１０からＳ３１１に進む。
【００８３】
Ｓ３１１において、ＣＰＵ１０５は、電子機器２００を給電装置１００の給電の対象として選択した電子機器２００を給電の対象から外すように設定する。この場合、ＣＰＵ１０５は、ＲＡＭ１０７の管理テーブルに記録されている電子機器２００の識別ＩＤに給電の対象として無効であることを示すフラグをセットする。この場合、本フローチャートはＳ３１１からＳ３１２に進む。
【００８４】
Ｓ３１２において、ＣＰＵ１０５は、給電の対象から外された電子機器２００とは別の装置を給電の対象として選択するための選択処理を行う。このため、給電装置１００は、給電装置１００から送信される電力によって充電を行うことができないと判定された電子機器２００とは別の装置を給電装置１００の給電の対象として選択する。このとき、ＲＡＭ１０７の管理テーブルに登録されている電子機器２００の識別ＩＤには、給電の対象として無効であることを示すフラグがセットされている。これにより、ＣＰＵ１０５は、Ｓ３１２の選択処理を行う場合、再び電子機器２００を給電の対象として選択しないようにする。
【００８５】
Ｓ３１３において、ＣＰＵ１０５は、Ｓ３０７において取得した検出情報に応じて、給電装置１００は、電子機器２００に電池２１０の充電を行わせながら、電子機器２００全体に電力を供給することができるか否かを判定する（第１の判定）。
【００８６】
ＣＰＵ１０５によって、給電装置１００は、電子機器２００に電池２１０の充電を行わせながら、電子機器２００全体に電力を供給することができると判定された場合（Ｓ３１３のＹｅｓ）、本フローチャートは、Ｓ３１３からＳ３１７に進む。ＣＰＵ１０５によって、給電装置１００は、電子機器２００に電池２１０の充電を行わせながら、電子機器２００全体に電力を供給することができないと判定された場合、給電装置１００は、電子機器２００全体に電力を供給することができない。しかし、この場合、給電装置１００は、電子機器２００に電池２１０の充電を行わせることができる。ＣＰＵ１０５によって、給電装置１００は、電子機器２００全体に電力を供給することができないが、電子機器２００に電池２１０の充電を行わせることができると判定された場合（Ｓ３１３のＮｏ）、本フローチャートは、Ｓ３１３からＳ３１４に進む。
【００８７】
なお、Ｓ３１３において、ＣＰＵ１０５は、給電装置１００は、電子機器２００に電池２１０の充電を行わせながら、電子機器２００全体に電力を供給することができるか否かを判定するようにした。しかし、Ｓ３１３の判定は、電子機器２００が電源オン状態であることを検出した場合にＣＰＵ１０５が行うようにしてもよい。そのため、Ｓ３０８でＹｅｓの場合、電子機器２００が電源オフ状態であることを検出した場合には、ＣＰＵ１０５は、Ｓ３１３の処理を行うことなく、Ｓ３１４の処理を行うようにしてもよい。
【００８８】
Ｓ３１４において、ＣＰＵ１０５は、電子機器２００が第１の充電モードになるように要求するための第６のコマンドを電子機器２００に送信するように変復調回路１０４を制御する。ＣＰＵ１０５によって、変復調回路１０４が第６のコマンドに対応する応答信号を受信したと判定された場合、本フローチャートはＳ３１４からＳ３１５に進む。なお、第１の充電モードとは、通信部２１２及び撮像部２１３を動作させないようにしながら電子機器２００が電池２１０の充電を行う状態である（第１のモード）。なお、第１の充電モードは、電子機器２００が電池２１０の充電以外の動作を停止させた状態で、電池２１０の充電を行う状態であればよいものとする。
【００８９】
Ｓ３１５において、ＣＰＵ１０５は、第２の電力を送信することを通知するための第７のコマンドを電子機器２００に送信するように変復調回路１０４を制御する。ＣＰＵ１０５によって、変復調回路１０４が第７のコマンドに対応する応答信号を受信したと判定された場合、本フローチャートはＳ３１５からＳ３１６に進む。なお、変復調回路１０４が第７のコマンドに対応する応答信号を受信したと判定された場合、ＣＰＵ１０５は、が第７のコマンドに対応する応答信号を受信してから経過した時間を計測するようにタイマー１０９を制御する。
【００９０】
Ｓ３１６において、ＣＰＵ１０５は、電子機器２００に対して送信する第２の電力を制御するための第１の給電制御処理を行う。ＣＰＵ１０５によって、第１の給電制御処理が行われた場合、本フローチャートは終了する。
【００９１】
Ｓ３１７において、ＣＰＵ１０５は、電子機器２００が第２の充電モードになるように要求するための第８のコマンドを電子機器２００に送信するように変復調回路１０４を制御する。ＣＰＵ１０５によって、変復調回路１０４が第８のコマンドに対応する応答信号を受信したと判定された場合、本フローチャートはＳ３１７からＳ３１５に進む。なお、第２の充電モードとは、電子機器２００が通信部２１２及び撮像部２１３等を動作させるようにしながら、電池２１０の充電を行う状態である（第２のモード）。なお、第２の充電モードは、電子機器２００が電子機器２００全体の動作を行える状態で、電池２１０の充電を行う状態であればよいものとする。
【００９２】
（第１の給電制御処理）
給電装置１００によって図３のＳ３１６において行われる第１の給電制御処理について、図４のフローチャートを用いて説明する。
【００９３】
Ｓ４０１において、ＣＰＵ１０５は、Ｓ３０２と同様に電子機器２００の残容量情報を要求するために、第１のコマンドを電子機器２００に送信するように変復調回路１０４を制御する。ＣＰＵ１０５によって、変復調回路１０４が第１のコマンドに対応する応答信号を受信したと判定された場合、本フローチャートは、Ｓ４０１からＳ４０２に進む。ＣＰＵ１０５によって、変復調回路１０４が第１のコマンドに対応する応答信号を受信していないと判定された場合、本フローチャートは、終了する。
【００９４】
Ｓ４０２において、ＣＰＵ１０５は、Ｓ４０１において受信した第１のコマンドに対応する応答信号に応じて、電子機器２００が充電可能な状態か否かを判定する。ＣＰＵ１０５によって、Ｓ４０１において受信した第１のコマンドに対応する応答信号にエラー情報が含まれていると判定された場合、ＣＰＵ１０５は、電子機器２００が充電可能な状態でないと判定する。Ｓ４０１において受信した第１のコマンドに対応する応答信号に残容量情報が含まれている場合、ＣＰＵ１０５によって、残容量情報に応じて電池２１０の残容量が満充電であると判定されたとき、ＣＰＵ１０５は、電子機器２００が充電可能な状態でないと判定する。ＣＰＵ１０５によって、電子機器２００が充電可能な状態でないと判定された場合（Ｓ４０２のＮｏ）、本フローチャートは、Ｓ４０２からＳ４０６に進む。
【００９５】
Ｓ４０１において受信した第１のコマンドに対応する応答信号に残容量情報が含まれている場合、ＣＰＵ１０５によって、電池２１０の残容量が満充電でないと判定されたとき、ＣＰＵ１０５は、電子機器２００が充電可能な状態であると判定する。ＣＰＵ１０５によって、電子機器２００が充電可能な状態であると判定された場合（Ｓ４０２のＹｅｓ）、本フローチャートは、Ｓ４０２からＳ４０３に進む。
【００９６】
Ｓ４０３において、ＣＰＵ１０５は、給電装置１００が電子機器２００に送信している電力が、第１の電力から第２の電力になるように設定する。なお、第２の電力の目標値は、ＣＰＵ１０５によって、Ｓ３０７において取得した検出情報に応じて設定される。ＣＰＵ１０５は、第２の電力を電子機器２００に送信するように発振器１０１、電力送信回路１０２、整合回路１０３を制御する。この場合、本フローチャートは、Ｓ４０３からＳ４０４に進む。
【００９７】
Ｓ４０４において、ＣＰＵ１０５は、図３のＳ３１５において、タイマー１０９により計測された時間が所定の時間経過したか否かを判定する。ＣＰＵ１０５によって、タイマー１０９により計測された時間が所定の時間経過したと判定された場合（Ｓ４０４のＹｅｓ）、本フローチャートは、Ｓ４０４からＳ４０５に進む。ＣＰＵ１０５によって、タイマー１０９により計測された時間が所定の時間経過していないと判定された場合（Ｓ４０４のＮｏ）、本フローチャートは、Ｓ４０４からＳ４０３に戻る。
【００９８】
Ｓ４０５において、ＣＰＵ１０５は、給電装置１００が電子機器２００に送信している電力が、第２の電力から第１の電力になるように設定する。ＣＰＵ１０５は、第１の電力を電子機器２００に送信するように発振器１０１、電力送信回路１０２、整合回路１０３を制御する。このとき、ＣＰＵ１０５は、タイマー１０９により計測されている時間をリセットする。この場合、本フローチャートは、Ｓ４０５からＳ４０１に戻る。なお、再びＳ４０１において給電装置１００が電子機器２００の残容量情報を要求するために、第１のコマンドを電子機器２００に送信するためには、給電装置１００が第２の電力ではなく、第１の電力を電子機器２００に送信する必要がある。このため、ＣＰＵ１０５は、Ｓ４０５の処理において、給電装置１００が第１の電力を電子機器２００に送信するようにする。
【００９９】
Ｓ４０６において、ＣＰＵ１０５は、第２の電力の送信を停止することを通知するために第９のコマンドを電子機器２００に送信するように変復調回路１０４を制御する。この場合、ＣＰＵ１０５は、給電装置１００が電子機器２００に第２の電力を送信している場合、給電装置１００が電子機器２００に第１の電力を送信するようにする。ＣＰＵ１０５によって、変復調回路１０４が第９のコマンドに対応する応答信号を受信したと判定された場合、ＣＰＵ１０５は、タイマー１０９により計測されている時間をリセットする。この場合、本フローチャートはＳ４０６からＳ４０７に進む。
【０１００】
Ｓ４０７において、ＣＰＵ１０５は、変復調回路１０４が電子機器２００に電子機器２００が第１の充電モードになるように要求するために、第６のコマンドを送信したか否かを判定する。ＣＰＵ１０５によって、変復調回路１０４が電子機器２００に第６のコマンドを送信したと判定された場合（Ｓ４０７でＹｅｓ）、本フローチャートは、Ｓ４０７からＳ４０８に進む。ＣＰＵ１０５によって、変復調回路１０４が電子機器２００に第６のコマンドを送信していないと判定された場合（Ｓ４０７でＮｏ）、本フローチャートは、Ｓ４０７からＳ４０９に進む。
【０１０１】
Ｓ４０８において、ＣＰＵ１０５は、第６のコマンドを解除するように要求するための第１０のコマンドを電子機器２００に送信するように変復調回路１０４を制御する。この場合、ＣＰＵ１０５は、第１０のコマンドを電子機器２００に送信することによって、電子機器２００の状態が第１の充電モードから第６のコマンドを受信する前の状態になるように電子機器２００を制御する。ＣＰＵ１０５によって、変復調回路１０４が第１０のコマンドに対応する応答信号を受信したと判定された場合、本フローチャートは終了する。
【０１０２】
Ｓ４０９において、ＣＰＵ１０５は、変復調回路１０４が電子機器２００に電子機器２００が第２の充電モードになるように要求するために、第８のコマンドを送信したか否かを判定する。ＣＰＵ１０５によって、変復調回路１０４が電子機器２００に第８のコマンドを送信したと判定された場合（Ｓ４０９でＹｅｓ）、本フローチャートは、Ｓ４０９からＳ４１０に進む。ＣＰＵ１０５によって、変復調回路１０４が電子機器２００に第８のコマンドを送信していないと判定された場合（Ｓ４０９でＮｏ）、本フローチャートは終了する。
【０１０３】
Ｓ４１０において、ＣＰＵ１０５は、第８のコマンドを解除するように要求するための第１１のコマンドを電子機器２００に送信するように変復調回路１０４を制御する。この場合、ＣＰＵ１０５は、第１１のコマンドを電子機器２００に送信することによって、電子機器２００の状態が第２の充電モードから第８のコマンドを受信する前の状態になるように電子機器２００を制御する。ＣＰＵ１０５によって、変復調回路１０４が第１１のコマンドに対応する応答信号を受信したと判定された場合、本フローチャートは終了する。
【０１０４】
（第２の給電処理）
給電装置１００の給電モードが第２の給電モードになるように設定された場合、給電装置１００によって行われる第２の給電処理について、図５のフローチャートを用いて説明する。なお、この場合、給電装置１００の給電の対象として電子機器２００が給電装置１００に選択されているものとして説明を行う。
【０１０５】
Ｓ５０１〜Ｓ５０３、及びＳ５０８〜Ｓ５１１の処理は、Ｓ３０１〜Ｓ３０３及びＳ３０４〜Ｓ３０７の処理と同様な処理であるため説明を省略する。
【０１０６】
Ｓ５０３において、ＣＰＵ１０５によって、電子機器２００が充電可能な状態であると判定された場合（Ｓ５０３のＹｅｓ）、本フローチャートは、Ｓ５０３からＳ５０４に進む。
【０１０７】
Ｓ５０４において、ＣＰＵ１０５は、電子機器２００の通信部２１２が対応する通信方式を示す通信情報を取得するための第１２のコマンドを電子機器２００に送信するように変復調回路１０４を制御する。ＣＰＵ１０５によって、変復調回路１０４が第１２のコマンドに対応する応答信号を受信したと判定された場合、本フローチャートはＳ５０４からＳ５０５に進む。
【０１０８】
第１２のコマンドを受け付けた電子機器２００は、第１２のコマンドに対応する応答信号として、通信情報を給電装置１００に対して送信する。例えば、通信部２１２がＵＳＢ規格に対応する場合、電子機器２００は、ＵＳＢ規格に対応することを示す通信情報を第１２のコマンドに対応する応答信号として、給電装置１００に送信する。また、例えば、通信部２１２が無線ＬＡＮ規格に対応する場合、電子機器２００は、無線ＬＡＮに対応することを示す通信情報を第１２のコマンドに対応する応答信号として、給電装置１００に送信する。
【０１０９】
Ｓ５０５において、ＣＰＵ１０５は、第１２のコマンドに対応する応答信号に含まれる通信情報に応じて、映像データ及び音声データを電子機器２００と送受信するための通信方式を設定する。ＣＰＵ１０５は、通信部１１２及び通信部２１２が対応している通信方式を設定し、設定した通信方式に応じて、通信部１１２が動作するように制御する。さらに、ＣＰＵ１０５は、電子機器２００の通信部２１２を、通信部１１２が設定された通信方式に設定するように要求するための第１３のコマンドを電子機器２００に送信するように変復調回路１０４を制御する。ＣＰＵ１０５によって、変復調回路１０４が第１３のコマンドに対応する応答信号を受信したと判定された場合、本フローチャートはＳ５０５からＳ５０６に進む。ＣＰＵ１０５によって、変復調回路１０４が第１３のコマンドに対応する応答信号を受信しなかったと判定された場合、ＣＰＵ１０５は、通信部１１２の対応する通信方式と通信部２１２が対応する通信方式とが一致しないと判定する。この場合、給電装置１００は、電子機器２００と通信部１１２を介して、映像データ及び音声データを送受信することはできない。この場合、本フローチャートは終了する。なお、Ｓ５０５において、ＣＰＵ１０５は、電子機器２００の通信部２１２を、通信部１１２が設定された通信方式に設定するように要求するために、第１３のコマンドを電子機器２００に送信するようにした。しかし、Ｓ５０５において、ＣＰＵ１０５は、電子機器２００の通信部２１２を、通信部１１２が設定された通信方式と互換性のある通信方式に設定するようにしてもよい。そのため、通信部２１２が、通信部１１２がＣＰＵ１０５によって設定された通信方式と互換性のある通信方式に設定された場合、Ｓ５０６以後の処理を行うようにしてもよい。  Ｓ５０６において、ＣＰＵ１０５は、Ｓ５０５において設定された通信方式による通信部１１２と、通信部２１２との通信の認証のための認証情報を要求するための第１４のコマンドを電子機器２００に送信するように変復調回路１０４を制御する。なお、Ｓ５０５において設定された通信方式が無線ＬＡＮである場合、認証情報には、ＩＰアドレス、ＳＳＩＤ（Ｓｅｒｖｉｃｅ  Ｓｅｔ  Ｉｄｅｎｔｉｆｉｅｒ）等の情報が含まれる。認証情報に含まれる情報は、Ｓ５０５において設定された通信方式によって異なるものとなる。
【０１１０】
ＣＰＵ１０５によって、変復調回路１０４が第１４のコマンドに対応する応答信号を受信したと判定された場合、本フローチャートはＳ５０６からＳ５０７に進む。なお、第１４のコマンドに対応する応答信号には、認証情報が含まれるものとする。
【０１１１】
Ｓ５０７において、ＣＰＵ１０５は、Ｓ５０５において設定された通信方式に応じた認証情報を通知するための第１５のコマンドを電子機器２００に送信するように変復調回路１０４を制御する。ＣＰＵ１０５によって、変復調回路１０４が第１５のコマンドに対応する応答信号を受信したと判定された場合、本フローチャートはＳ５０７からＳ５０８に進む。
【０１１２】
Ｓ５１１において、ＣＰＵ１０５によって、変復調回路１０４が受信した第４のコマンドに対応する応答信号から検出情報を取得したと判定された場合、本フローチャートはＳ５１１からＳ５１２に進む。
【０１１３】
Ｓ５１２において、ＣＰＵ１０５は、Ｓ３０８と同様に、Ｓ５１１において取得した検出情報に応じて、給電装置１００から送信される電力によって、電子機器２００が電池２１０の充電を行うことができるか否かを判定する。
【０１１４】
ＣＰＵ１０５によって、給電装置１００から送信される電力によって、電子機器２００が電池２１０の充電を行うことができると判定された場合（Ｓ５１２のＹｅｓ）、本フローチャートは、Ｓ５１２からＳ５１３に進む。ＣＰＵ１０５によって、給電装置１００から送信される電力により、電子機器２００が電池２１０の充電を行えないと判定された場合（Ｓ５１２のＮｏ）、本フローチャートは、Ｓ５１２からＳ５１８に進む。
【０１１５】
Ｓ５１３において、ＣＰＵ１０５は、Ｓ３１３と同様に、Ｓ５１１において取得した検出情報に応じて、給電装置１００は、電子機器２００に電池２１０の充電を行わせながら、電子機器２００全体に電力を供給することができるか否かを判定する。
【０１１６】
ＣＰＵ１０５によって、給電装置１００は、電子機器２００に電池２１０の充電を行わせながら、電子機器２００全体に電力を供給することができると判定された場合（Ｓ５１３のＹｅｓ）、本フローチャートは、Ｓ５１３からＳ５１４に進む。ＣＰＵ１０５によって、給電装置１００は、電子機器２００全体に電力を供給することができないが、電子機器２００に電池２１０の充電を行わせることができると判定された場合（Ｓ５１３のＮｏ）、本フローチャートは、Ｓ５１３からＳ５１９に進む。なお、Ｓ５１３の判定は、電子機器２００が電源オン状態であることを検出した場合にＣＰＵ１０５が行うようにしてもよい。そのため、Ｓ５１２でＹｅｓの場合に、電子機器２００が電源オフ状態であることを検出したとき、ＣＰＵ１０５は、Ｓ５１３の処理を行うことなく、Ｓ５１９の処理を行うようにしてもよい。
【０１１７】
Ｓ５１４において、ＣＰＵ１０５は、Ｓ３１７と同様に、電子機器２００を第２の充電モードに変更するために、第８のコマンドを電子機器２００に送信するように変復調回路１０４を制御する。ＣＰＵ１０５によって、変復調回路１０４が第８のコマンドに対応する応答信号を受信したと判定された場合、本フローチャートはＳ５１４からＳ５１５に進む。
【０１１８】
Ｓ５１５において、ＣＰＵ１０５は、通信部２１２にデータの送信を要求するための第１６のコマンドを電子機器２００に送信するように変復調回路１０４を制御する。ＣＰＵ１０５によって、変復調回路１０４が第１６のコマンドに対応する応答信号を受信したと判定された場合、ＣＰＵ１０５は、ＲＡＭ１０７の管理テーブルに登録されている電子機器２００の識別ＩＤにデータ送信中であることを示すフラグをセットする。この場合、さらに、ＣＰＵ１０５は、電子機器２００から送信されるデータを受信するように通信部１１２を制御する。
【０１１９】
電子機器２００から送信されるデータを通信部１１２が受信している場合、本フローチャートはＳ５１５からＳ５１６に進む。なお、給電装置１００が第１６のコマンドを電子機器２００に送信することによって、電子機器２００から受信するデータは、映像データであっても、音声データであってもよい。また、電子機器２００から受信するデータは、電子機器２００が給電装置１００に送信していない映像データ及び音声データであってもよいものとする。なお、給電装置１００が電子機器２００から受信するデータが、電子機器２００が給電装置１００に送信していないデータである場合、給電装置１００は、電子機器２００から給電装置１００に送信していない映像データ及び音声データを示す未送信情報を取得する。給電装置１００は、電子機器２００から取得した未送信情報に応じて、第１６のコマンドで電子機器２００に送信を要求するデータを選択することができる。この場合、特別な操作を行うことなく、給電装置１００が電子機器２００から受信していないデータの取り込みを行うことができる。
【０１２０】
Ｓ５１６において、ＣＰＵ１０５は、Ｓ３１５と同様に、第２の電力を送信することを通知するために、第７のコマンドを電子機器２００に送信するように変復調回路１０４を制御する。ＣＰＵ１０５によって、変復調回路１０４が第７のコマンドに対応する応答信号を受信したと判定された場合、本フローチャートはＳ５１６からＳ５１７に進む。なお、変復調回路１０４が第７のコマンドに対応する応答信号を受信したと判定された場合、ＣＰＵ１０５は、が第７のコマンドに対応する応答信号を受信してから経過した時間を計測するようにタイマー１０９を制御する。
【０１２１】
Ｓ５１７において、ＣＰＵ１０５は、電子機器２００に対する給電を制御するための第２の給電制御処理を行う。ＣＰＵ１０５によって、第２の給電制御処理が行われた場合、本フローチャートは終了する。
【０１２２】
Ｓ５１８において、ＣＰＵ１０５は、Ｓ５１１において取得した検出情報に応じて、給電装置１００は、通信部２１２が給電装置１００にデータの送信を行うための電力を電子機器２００に供給することができるか否かを判定する。ＣＰＵ１０５によって、給電装置１００は、通信部２１２が給電装置１００にデータの送信を行うための電力を電子機器２００に供給することができると判定された場合（Ｓ５１８のＹｅｓ）、本フローチャートは、Ｓ５１８からＳ５１９に進む。ＣＰＵ１０５によって、給電装置１００は、通信部２１２が給電装置１００にデータの送信を行うための電力を電子機器２００に供給することができないと判定された場合（Ｓ５１８のＮｏ）、本フローチャートは、Ｓ５１８からＳ５２１に進む。
【０１２３】
Ｓ５１９において、ＣＰＵ１０５は、電子機器２００を第１の充電モードに変更するために、第６のコマンドを電子機器２００に送信するように変復調回路１０４を制御する。ＣＰＵ１０５によって、変復調回路１０４が第６のコマンドに対応する応答信号を受信したと判定された場合、本フローチャートはＳ５１９からＳ５２０に進む。
【０１２４】
Ｓ５２０において、ＣＰＵ１０５は、電子機器２００の状態を通信モードにするように要求するための第１７のコマンドを電子機器２００に送信するように変復調回路１０４を制御する。ＣＰＵ１０５によって、変復調回路１０４が第１７のコマンドに対応する応答信号を受信したと判定された場合、本フローチャートはＳ５２０からＳ５１５に進む。なお、通信モードとは、映像データや音声データを給電装置１００に送信するための電力と、給電装置１００から映像データや音声データを受信するための電力とが通信部２１２に電力が供給されている状態である。電子機器２００は、通信モードである場合、通信部２１２に必要な電力の供給を行い、通信部１１０と通信の認証を行うように通信部２１２を制御し、映像データや音声データを給電装置１００に送信するように通信部２１２を制御する。
【０１２５】
Ｓ５２１において、ＣＰＵ１０５は、Ｓ５０２において取得した残容量情報に応じて、電池２１０の残容量がＲＯＭ１０６に設定されている所定値以上であるか否かを判定する。この所定値は、あらかじめＲＯＭ１０６に設定されているものでも、ＣＰＵ１０５が電子機器２００から取得した検出情報に応じて設定するものであってもよい。なお、この所定値は、電子機器２００がデータを給電装置１００に送信するために必要な電池２１０の残容量を示す値であればよいものとする。
【０１２６】
ＣＰＵ１０５によって、電池２１０の残容量が所定値以上であると判定された場合（Ｓ５２１のＹｅｓ）、本フローチャートはＳ５２１からＳ５２２に進む。ＣＰＵ１０５によって、電池２１０の残容量が所定値よりも低いと判定された場合（Ｓ５２１のＮｏ）、本フローチャートはＳ５２１からＳ５２６に進む。
【０１２７】
Ｓ５２２において、ＣＰＵ１０５は、Ｓ５２０と同様に、電子機器２００を通信モードに変更するために、第１７のコマンドを電子機器２００に送信するように変復調回路１０４を制御する。ＣＰＵ１０５によって、変復調回路１０４が第１７のコマンドに対応する応答信号を受信したと判定された場合、本フローチャートはＳ５２２からＳ５２３に進む。
【０１２８】
Ｓ５２３において、ＣＰＵ１０５は、Ｓ５１５と同様に、通信部２１２にデータの送信を要求するために、第１６のコマンドを電子機器２００に送信するように変復調回路１０４を制御する。ＣＰＵ１０５によって、変復調回路１０４が第１６のコマンドに対応する応答信号を受信したと判定された場合、本フローチャートはＳ５２３からＳ５２４に進む。
【０１２９】
Ｓ５２４において、ＣＰＵ１０５は、ＣＰＵ１０５は、通信部２１２を介してデータを給電装置１００に送信してくる電子機器２００を給電装置１００の給電の対象から外すように設定する。この場合、ＣＰＵ１０５は、ＲＡＭ１０７の管理テーブルに登録され、データ送信中であることを示すフラグが設定されている電子機器２００の識別ＩＤに給電の対象として無効であることを示すフラグをセットする。この場合、本フローチャートはＳ５２４からＳ５２５に進む。
【０１３０】
Ｓ５２５において、ＣＰＵ１０５は、給電装置１００への電子機器２００による通信部２１２を介したデータの送信が完了したか否かを確認するための送信確認処理を行う。ＣＰＵ１０５によって送信確認処理が開始された場合、本フローチャートは終了する。
【０１３１】
Ｓ５２６において、ＣＰＵ１０５は、Ｓ５１９と同様に、電子機器２００を第１の充電モードに変更するために、第６のコマンドを電子機器２００に送信するように変復調回路１０４を制御する。ＣＰＵ１０５によって、変復調回路１０４が第６のコマンドに対応する応答信号を受信したと判定された場合、本フローチャートはＳ５２６からＳ５２７に進む。
【０１３２】
Ｓ５２７において、ＣＰＵ１０５は、Ｓ３１５と同様に、第２の電力を送信することを通知するために、第７のコマンドを電子機器２００に送信するように変復調回路１０４を制御する。ＣＰＵ１０５によって、変復調回路１０４が第７のコマンドに対応する応答信号を受信したと判定された場合、本フローチャートはＳ５２７から図４のＳ４０１に進み、第１の給電制御処理を行う。なお、変復調回路１０４が第７のコマンドに対応する応答信号を受信したと判定された場合、ＣＰＵ１０５は、第７のコマンドに対応する応答信号を受信してから経過した時間を計測するようにタイマー１０９を制御する。
【０１３３】
なお、給電装置１００が第１６のコマンドを電子機器２００に送信した場合、電子機器２００による通信部２１２を介したデータの送信が完了したと判定されるまで、ＣＰＵ１０５は、電子機器２００から送信されるデータを受信するように通信部１１２を制御する。なお、通信部１１２が電子機器２００から受信したデータは、記録再生部１１０に供給され、記録媒体１１０ａに記録される。
【０１３４】
（送信確認処理）
給電装置１００によって図５のＳ５２５において行われる送信確認処理について、図６のフローチャートを用いて説明する。なお、この場合、通信部１１２は、電子機器２００の通信部２１２から送信されるデータを受信するための処理を行っている。
【０１３５】
Ｓ６０１において、ＣＰＵ１０５は、通信部２１２から給電装置１００の通信部１１２にデータが送信されているか否かを判定する。通信部２１２からデータが通信部１１２に対して送信される場合、あらかじめ電子機器２００は、通信部２１２が通信部１１２に対して送信するデータの量を示す送信情報を給電装置１００に送信する。このため、ＣＰＵ１０５は、通信部１１２が通信部２１２から受信したデータが、送信情報に示されるデータの量に達したか否かを判定することによって、通信部２１２から通信部１１２へのデータの送信が完了した否かを判定する。ＣＰＵ１０５によって、通信部１１２が電子機器２００から受信したデータが、送信情報に示されるデータの量に達したと判定された場合、ＣＰＵ１０５は、通信部２１２から通信部１１２へのデータの送信が完了したと判定する。この場合、ＣＰＵ１０５は、通信部２１２から通信部１１２へのデータの送信が完了した、つまり、通信部２１２から給電装置１００の通信部１１２にデータが送信されていないと判定する。この場合（Ｓ６０１でＮｏ）、本フローチャートはＳ６０１からＳ６０２に進む。
【０１３６】
なお、ＣＰＵ１０５は、通信部２１２から通信部１１２へのデータの送信が完了した否かを電子機器２００に問い合わせて、電子機器２００からの応答信号を受信するようにしてもよい。この場合、電子機器２００からの応答信号に応じて、通信部２１２から給電装置１００の通信部１１２にデータが送信されているか否かを判定してもよい。
【０１３７】
ＣＰＵ１０５によって、通信部１１２が電子機器２００から受信したデータが、送信情報に示されるデータの量に達していないと判定された場合、ＣＰＵ１０５は通信部２１２から給電装置１００の通信部１１２にデータが送信されていると判定する。この場合（Ｓ６０１でＹｅｓ）、本フローチャートはＳ６０１からＳ６０１に戻る。
【０１３８】
Ｓ６０２において、ＣＰＵ１０５は、図５のＳ５２４において給電装置１００の給電の対象から外された電子機器２００を給電装置１００の給電の対象に戻すように設定する。この場合、ＣＰＵ１０５は、ＲＡＭ１０７の管理テーブルに登録され、データ送信中であることを示すフラグがセットされている電子機器２００の識別ＩＤに給電の対象として有効であることを示すフラグをセットし、データ送信中であることを示すフラグをリセットする。この場合、本フローチャートは終了する。
【０１３９】
（第２の給電制御処理）
給電装置１００によってＳ５１７において行われる第２の給電制御処理について、図７のフローチャートを用いて説明する。
【０１４０】
Ｓ７０１において、ＣＰＵ１０５は、Ｓ３０２と同様に、電子機器２００の残容量情報を要求するために、第１のコマンドを電子機器２００に送信するように変復調回路１０４を制御する。ＣＰＵ１０５によって、変復調回路１０４が第１のコマンドに対応する応答信号を受信したと判定された場合、本フローチャートは、Ｓ７０１からＳ７０２に進む。ＣＰＵ１０５によって、変復調回路１０４が第１のコマンドに対応する応答信号を受信していないと判定された場合、本フローチャートは、終了する。
【０１４１】
Ｓ７０２において、ＣＰＵ１０５は、Ｓ４０２と同様に、Ｓ７０１において受信した第１のコマンドに対応する応答信号に応じて、電子機器２００が充電可能な状態か否かを判定する。ＣＰＵ１０５によって、電子機器２００が充電可能な状態でないと判定された場合（Ｓ７０２のＮｏ）、本フローチャートは、Ｓ７０２からＳ７０５に進む。
【０１４２】
ＣＰＵ１０５によって、電子機器２００が充電可能な状態であると判定された場合（Ｓ７０２のＹｅｓ）、本フローチャートは、Ｓ７０２からＳ７０３に進む。
【０１４３】
Ｓ７０３において、ＣＰＵ１０５は、給電装置１００が電子機器２００に送信している電力が、第１の電力から第２の電力になるように設定する。なお、第２の電力の目標値は、ＣＰＵ１０５によって、Ｓ５１１において取得した検出情報に応じて設定される。ＣＰＵ１０５は、第２の電力を電子機器２００に送信するように発振器１０１、電力送信回路１０２、整合回路１０３を制御する。この場合、本フローチャートは、Ｓ７０３からＳ７０４に進む。
【０１４４】
Ｓ７０４において、ＣＰＵ１０５は、Ｓ６０１と同様にＣＰＵ１０５は、通信部２１２から給電装置１００の通信部１１２にデータが送信されているか否かを判定する。ＣＰＵ１０５によって、通信部２１２から給電装置１００の通信部１１２にデータが送信されていないと判定された場合（Ｓ７０４でＮｏ）、本フローチャートはＳ７０４からＳ７０５に進む。ＣＰＵ１０５によって、通信部２１２から給電装置１００の通信部１１２にデータが送信されていると判定された場合（Ｓ７０４でＹｅｓ）、本フローチャートはＳ７０４からＳ７１２に進む。
【０１４５】
Ｓ７０５において、ＣＰＵ１０５は、給電装置１００が電子機器２００に送信している電力が、第２の電力から第１の電力になるように設定する。ＣＰＵ１０５は、第１の電力を電子機器２００に送信するように発振器１０１、電力送信回路１０２、整合回路１０３を制御する。このとき、ＣＰＵ１０５は、タイマー１０９により計測されている時間をリセットする。この場合、本フローチャートは、Ｓ７０５からＳ７０６に進む。なお、給電装置１００が電子機器２００を制御するためのコマンドを電子機器２００に送信するためには、給電装置１００が第２の電力ではなく、第１の電力を電子機器２００に送信する必要がある。このため、ＣＰＵ１０５は、Ｓ７０５の処理において、給電装置１００が第１の電力を電子機器２００に送信するようにする。
【０１４６】
Ｓ７０６において、ＣＰＵ１０５は、第１７のコマンドを解除するよう要求するための第１８のコマンドを電子機器２００に送信するように変復調回路１０４を制御する。この場合、ＣＰＵ１０５は、第１８のコマンドを電子機器２００に送信することによって、電子機器２００の状態が通信モードになる前の状態になるように電子機器２００を制御する。ＣＰＵ１０５によって、変復調回路１０４が第１８のコマンドに対応する応答信号を受信したと判定された場合、本フローチャートは、Ｓ７０６からＳ７０７に進む。
【０１４７】
Ｓ７０７において、ＣＰＵ１０５は、電子機器２００に対して第２の電力の送信を停止することを通知するために、第９のコマンドを電子機器２００に送信するように変復調回路１０４を制御する。この場合、ＣＰＵ１０５は、給電装置１００が電子機器２００に第２の電力を送信している場合、給電装置１００が電子機器２００に第１の電力を送信するようにする。ＣＰＵ１０５によって、変復調回路１０４が第９のコマンドに対応する応答信号を受信したと判定された場合、ＣＰＵ１０５は、タイマー１０９により計測されている時間をリセットする。この場合、本フローチャートはＳ７０７からＳ７０８に進む。
【０１４８】
Ｓ７０８において、ＣＰＵ１０５は、変復調回路１０４が電子機器２００に第６のコマンドを送信したか否かを判定する。ＣＰＵ１０５によって、変復調回路１０４が電子機器２００に第６のコマンドを送信したと判定された場合（Ｓ７０８でＹｅｓ）、本フローチャートは、Ｓ７０８からＳ７１１に進む。ＣＰＵ１０５によって、変復調回路１０４が電子機器２００に第６のコマンドを送信していないと判定された場合（Ｓ７０８でＮｏ）、本フローチャートは、Ｓ７０８からＳ７０９に進む。
【０１４９】
Ｓ７０９において、ＣＰＵ１０５は、変復調回路１０４が電子機器２００に第８のコマンドを送信したか否かを判定する。ＣＰＵ１０５によって、変復調回路１０４が電子機器２００に第８のコマンドを送信したと判定された場合（Ｓ７０９でＹｅｓ）、本フローチャートは、Ｓ７０９からＳ７１０に進む。ＣＰＵ１０５によって、変復調回路１０４が電子機器２００に第８のコマンドを送信していないと判定された場合（Ｓ７０９でＮｏ）、本フローチャートは終了する。
【０１５０】
Ｓ７１０において、ＣＰＵ１０５は、第８のコマンドを解除するために、第１１のコマンドを電子機器２００に送信するように変復調回路１０４を制御する。この場合、ＣＰＵ１０５は、第１１のコマンドを電子機器２００に送信することによって、電子機器２００の状態が第２の充電モードになる前の状態になるように電子機器２００を制御する。ＣＰＵ１０５によって、変復調回路１０４が第１１のコマンドに対応する応答信号を受信したと判定された場合、本フローチャートは終了する。
【０１５１】
Ｓ７１１において、ＣＰＵ１０５は、第６のコマンドを解除するために、第１０のコマンドを電子機器２００に送信するように変復調回路１０４を制御する。この場合、ＣＰＵ１０５は、第１０のコマンドを電子機器２００に送信することによって、電子機器２００の状態が第１の充電モードになる前の状態になるように電子機器２００を制御する。ＣＰＵ１０５によって、変復調回路１０４が第１０のコマンドに対応する応答信号を受信したと判定された場合、本フローチャートは終了する。
【０１５２】
Ｓ７１２において、ＣＰＵ１０５は、現在設定されている第２の電力の目標値を所定値分下げるように再び設定する。この場合、本フローチャートはＳ７１２からＳ７１３に進む。
【０１５３】
Ｓ７１３において、ＣＰＵ１０５は、給電装置１００が電子機器２００に送信している第２の電力が、Ｓ７１２において設定された目標値になるように発振器１０１、電力送信回路１０２、整合回路１０３を制御する。Ｓ７１２において設定された第２の電力が電子機器２００に送信された場合、本フローチャートは、Ｓ７１３からＳ７１４に進む。
【０１５４】
Ｓ７１４において、ＣＰＵ１０５は、図５のＳ５１６において、タイマー１０９により計測された時間が所定の時間経過したか否かを判定する。ＣＰＵ１０５によって、タイマー１０９により計測された時間が所定の時間経過したと判定された場合（Ｓ７１４のＹｅｓ）、本フローチャートは、Ｓ７１４からＳ７１５に進む。ＣＰＵ１０５によって、タイマー１０９により計測された時間が所定の時間経過していないと判定された場合（Ｓ７１４のＮｏ）、本フローチャートは、Ｓ７１４からＳ７１３に戻る。
【０１５５】
Ｓ７１５において、ＣＰＵ１０５は、給電装置１００が電子機器２００に送信している電力が、第２の電力から第１の電力になるように設定する。ＣＰＵ１０５は、第１の電力を電子機器２００に送信するように発振器１０１、電力送信回路１０２、整合回路１０３を制御する。このとき、ＣＰＵ１０５は、タイマー１０９により計測されている時間をリセットする。この場合、本フローチャートは、Ｓ７１５からＳ７０１に戻る。なお、再びＳ７０１において給電装置１００が第１のコマンドを電子機器２００に送信するためには、給電装置１００が第２の電力ではなく、第１の電力を電子機器２００に送信する必要がある。このため、ＣＰＵ１０５は、Ｓ７１５の処理において、給電装置１００が第１の電力を電子機器２００に送信するようにする。
【０１５６】
図３の第１の給電処理、図４の第１の給電制御処理、図５の第２の給電処理、図６の送信確認処理、及び図７の第２の給電制御処理は、ＣＰＵ１０５がＲＯＭ１０６に記憶されているコンピュータプログラムを実行することにより実現することができる。
【０１５７】
（コマンド受信処理）
電子機器２００によって行われるコマンド受信処理について、図８、図９、図１０及び図１１のフローチャートを用いて説明する。
【０１５８】
Ｓ８０１において、ＣＰＵ２０５は、変復調回路２０４が給電装置１００から第１の電力を受信したか否かを判定する。ＣＰＵ２０５によって、変復調回路２０４が給電装置１００から第１の電力を受信していないと判定された場合（Ｓ８０１でＮｏ）、本フローチャートは終了する。ＣＰＵ２０５によって、変復調回路２０４が給電装置１００から第１の電力を受信したと判定された場合（Ｓ８０１でＹｅｓ）、本フローチャートはＳ８０１からＳ８０２に進む。
【０１５９】
Ｓ８０２において、ＣＰＵ２０５は、変復調回路２０４が給電装置１００からコマンドを受信したか否かを判定する。ＣＰＵ２０５によって、変復調回路２０４が給電装置１００からコマンドを受信していないと判定された場合（Ｓ８０２でＮｏ）、本フローチャートは終了する。ＣＰＵ２０５によって、変復調回路２０４が給電装置１００からコマンドを受信したと判定された場合（Ｓ８０２でＹｅｓ）、本フローチャートはＳ８０２からＳ８０３に進む。
【０１６０】
Ｓ８０３において、ＣＰＵ２０５は、変復調回路２０４が給電装置１００から受信したコマンドを解析するように変復調回路２０４を制御する。この場合、本フローチャートはＳ８０３からＳ８０４に進む。変復調回路２０４によるコマンドの解析が完了した場合、変復調回路２０４は解析結果をＣＰＵ２０５に供給する。
【０１６１】
Ｓ８０４において、ＣＰＵ２０５は、変復調回路２０４から供給された解析結果からエラーが検出されたか否かを判定する。ＣＰＵ２０５によって、変復調回路２０４から供給された解析結果からエラーが検出されたと判定された場合（Ｓ８０４でＹｅｓ）、本フローチャートはＳ８０４からＳ８０５に進む。ＣＰＵ２０５によって、ＣＰＵ２０５によって、変復調回路２０４から供給された解析結果からエラーが検出されていないと判定された場合（Ｓ８０４でＮｏ）、本フローチャートはＳ８０４からＳ８０６に進む。
【０１６２】
Ｓ８０５において、ＣＰＵ２０５は、後述するエラー処理を行う。ＣＰＵ２０５によって、エラー処理が行われた場合、本フローチャートは終了する。
【０１６３】
Ｓ８０６において、ＣＰＵ２０５は、変復調回路２０４から供給された解析結果から変復調回路２０４が受信したコマンドが、第１のコマンドであるか否かを判定する。ＣＰＵ２０５によって、変復調回路２０４が受信したコマンドが第１のコマンドでないと判定された場合（Ｓ８０６でＮｏ）、本フローチャートはＳ８０６からＳ８０８に進む。ＣＰＵ２０５によって、変復調回路２０４が受信したコマンドが第１のコマンドであると判定された場合（Ｓ８０６でＹｅｓ）、本フローチャートはＳ８０６からＳ８０７に進む。
【０１６４】
Ｓ８０７において、ＣＰＵ２０５は、ＲＡＭ２０７に記録されている残容量情報を第１のコマンドに対する応答信号として給電装置１００に送信するための負荷変調を行うように変復調回路２０４を制御する。電子機器２００の残容量情報が給電装置１００に送信された場合、本フローチャートは終了する。
【０１６５】
Ｓ８０８において、ＣＰＵ２０５は、変復調回路２０４から供給された解析結果から変復調回路２０４が受信したコマンドが第２のコマンドであるか否かを判定する。ＣＰＵ２０５によって、変復調回路２０４が受信したコマンドが第２のコマンドでないと判定された場合（Ｓ８０８でＮｏ）、本フローチャートはＳ８０８からＳ８１０に進む。ＣＰＵ２０５によって、変復調回路２０４が受信したコマンドが第２のコマンドであると判定された場合（Ｓ８０８でＹｅｓ）、本フローチャートはＳ８０８からＳ８０９に進む。
【０１６６】
Ｓ８０９において、ＣＰＵ２０５は、第２のコマンドに応じて、後述する給電準備処理を行う。ＣＰＵ２０５によって、給電準備処理が行われた場合、本フローチャートは終了する。
【０１６７】
Ｓ８１０において、ＣＰＵ２０５は、変復調回路２０４から供給された解析結果から変復調回路２０４が受信したコマンドが第３のコマンドであるか否かを判定する。ＣＰＵ２０５によって、変復調回路２０４が受信したコマンドが第３のコマンドでないと判定された場合（Ｓ８１０でＮｏ）、本フローチャートはＳ８１０からＳ８１３に進む。ＣＰＵ２０５によって、変復調回路２０４が受信したコマンドが第３のコマンドであると判定された場合（Ｓ８１０でＹｅｓ）、本フローチャートはＳ８１０からＳ８１１に進む。
【０１６８】
Ｓ８１１において、ＣＰＵ２０５は、電子機器２００の状態を、後述の給電準備モードから第２のコマンドを受信する前の状態に戻すように電子機器２００を制御する。この場合、本フローチャートはＳ８１１からＳ８１２に進む。
【０１６９】
Ｓ８１２において、ＣＰＵ１０５は、第３のコマンドに対して肯定を示す応答信号を給電装置１００に送信するための負荷変調を行うように変復調回路２０４を制御する。第３のコマンドに対応する応答信号が給電装置１００に送信された場合、本フローチャートは終了する。
【０１７０】
Ｓ８１３において、ＣＰＵ２０５は、変復調回路２０４から供給された解析結果から変復調回路２０４が受信したコマンドが第４のコマンドであるか否かを判定する。ＣＰＵ２０５によって、変復調回路２０４が受信したコマンドが第４のコマンドでないと判定された場合（Ｓ８１３でＮｏ）、本フローチャートはＳ８１３から図９のＳ９０１に進む。ＣＰＵ２０５によって、変復調回路２０４が受信したコマンドが第４のコマンドであると判定された場合（Ｓ８１３でＹｅｓ）、本フローチャートはＳ８１３からＳ８１４に進む。
【０１７１】
Ｓ８１４において、ＣＰＵ２０５は、ＲＡＭ２０７に記録されている検出情報を第４のコマンドに対する応答信号として給電装置１００に送信するための負荷変調を行うように変復調回路２０４を制御する。検出情報が給電装置１００に送信された場合、本フローチャートは終了する。
【０１７２】
Ｓ９０１において、ＣＰＵ２０５は、変復調回路２０４から供給された解析結果から変復調回路２０４が受信したコマンドが第６のコマンドであるか否かを判定する。ＣＰＵ２０５によって、変復調回路２０４が受信したコマンドが第６のコマンドでないと判定された場合（Ｓ９０１でＮｏ）、本フローチャートはＳ９０１からＳ９０４に進む。ＣＰＵ２０５によって、変復調回路２０４が受信したコマンドが第６のコマンドであると判定された場合（Ｓ９０１でＹｅｓ）、本フローチャートはＳ９０１からＳ９０２に進む。
【０１７３】
Ｓ９０２において、ＣＰＵ２０５は、電子機器２００の状態を、現在の状態から第１の充電モードに変更するように電子機器２００を制御する。この場合、本フローチャートはＳ９０２からＳ９０３に進む。なお、電子機器２００が第１の充電モードになった場合、ＣＰＵ２０５は、受電アンテナ２０１、整合回路２０２、整流平滑回路２０３、変復調回路２０４、ＣＰＵ２０５、ＲＯＭ２０６、ＲＡＭ２０７、レギュレータ２０８、充電制御部２０９、タイマー２１１及び電池２１０以外の各部を動作させないように電力の供給を制御する。なお、電子機器２００が第１の充電モードになった場合、ＣＰＵ２０５は、少なくとも受電アンテナ２０１、整合回路２０２、整流平滑回路２０３、変復調回路２０４、ＣＰＵ２０５、ＲＯＭ２０６、ＲＡＭ２０７、レギュレータ２０８、充電制御部２０９、タイマー２１１及び電池２１０には電力が供給されるようにする。
【０１７４】
Ｓ９０３において、ＣＰＵ２０５は、第６のコマンドに対して肯定を示す応答信号を給電装置１００に送信するように変復調回路２０４を制御する。第６のコマンドに対する応答信号が給電装置１００に送信された場合、本フローチャートは終了する。
【０１７５】
Ｓ９０４において、ＣＰＵ２０５は、変復調回路２０４から供給された解析結果から変復調回路２０４が受信したコマンドが第８のコマンドであるか否かを判定する。ＣＰＵ２０５によって、変復調回路２０４が受信したコマンドが第８のコマンドでないと判定された場合（Ｓ９０４でＮｏ）、本フローチャートはＳ９０４からＳ９０７に進む。ＣＰＵ２０５によって、変復調回路２０４が受信したコマンドが第８のコマンドであると判定された場合（Ｓ９０４でＹｅｓ）、本フローチャートはＳ９０４からＳ９０５に進む。
【０１７６】
Ｓ９０５において、ＣＰＵ２０５は、電子機器２００の状態を、現在の状態から第２の充電モードに変更するように電子機器２００を制御する。この場合、本フローチャートはＳ９０５からＳ９０６に進む。なお、電子機器２００が第２の充電モードになった場合、電子機器２００は、受電アンテナ２０１、整合回路２０２、整流平滑回路２０３、変復調回路２０４、ＣＰＵ２０５、ＲＯＭ２０６、ＲＡＭ２０７、レギュレータ２０８、充電制御部２０９、電池２１０、タイマー２１１、通信部２１２及び撮像部２１３を含む電子機器２００全体に電力を供給するように制御する。
【０１７７】
Ｓ９０６において、ＣＰＵ２０５は、第８のコマンドに対して肯定を示す応答信号を給電装置１００に送信するように変復調回路２０４を制御する。第８のコマンドに対する応答信号が給電装置１００に送信された場合、本フローチャートは終了する。
【０１７８】
Ｓ９０７において、ＣＰＵ２０５は、変復調回路２０４から供給された解析結果から変復調回路２０４が受信したコマンドが第７のコマンドであるか否かを判定する。ＣＰＵ２０５によって、変復調回路２０４が受信したコマンドが第７のコマンドでないと判定された場合（Ｓ９０７でＮｏ）、本フローチャートはＳ９０７からＳ９０９に進む。ＣＰＵ２０５によって、変復調回路２０４が受信したコマンドが第７のコマンドであると判定された場合（Ｓ９０７でＹｅｓ）、本フローチャートはＳ９０７からＳ９０８に進む。
【０１７９】
Ｓ９０８において、ＣＰＵ２０５は、後述の充電処理を行う。ＣＰＵ２０５によって、充電処理が行われた場合、本フローチャートは終了する。
【０１８０】
Ｓ９０９において、ＣＰＵ２０５は、変復調回路２０４から供給された解析結果から変復調回路２０４が受信したコマンドが第９のコマンドであるか否かを判定する。ＣＰＵ２０５によって、変復調回路２０４が受信したコマンドが第９のコマンドでないと判定された場合（Ｓ９０９でＮｏ）、本フローチャートはＳ９０９から図１０のＳ１００１に進む。ＣＰＵ２０５によって、変復調回路２０４が受信したコマンドが第９のコマンドであると判定された場合（Ｓ９０９でＹｅｓ）、本フローチャートはＳ９０９からＳ９１０に進む。
【０１８１】
Ｓ９１０において、ＣＰＵ２０５は、電池２１０の充電を停止するように充電制御部２０９を制御する。電池２１０の充電が停止された場合、本フローチャートはＳ９１０からＳ９１１に進む。
【０１８２】
Ｓ９１１において、ＣＰＵ２０５は、第９のコマンドに対して肯定を示す応答信号を給電装置１００に送信するように変復調回路２０４を制御する。第９のコマンドに対する応答信号が給電装置１００に送信された場合、本フローチャートは終了する。
【０１８３】
Ｓ１００１において、ＣＰＵ２０５は、変復調回路２０４から供給された解析結果から変復調回路２０４が受信したコマンドが第１０のコマンドであるか否かを判定する。ＣＰＵ２０５によって、変復調回路２０４が受信したコマンドが第１０のコマンドでないと判定された場合（Ｓ１００１でＮｏ）、本フローチャートはＳ１００１からＳ１００４に進む。ＣＰＵ２０５によって、変復調回路２０４が受信したコマンドが第１０のコマンドであると判定された場合（Ｓ１００１でＹｅｓ）、本フローチャートはＳ１００１からＳ１００２に進む。
【０１８４】
Ｓ１００２において、ＣＰＵ２０５は、電子機器２００の状態を、第１の充電モードから第１の充電モードになる前の状態に変更するように制御する。この場合、本フローチャートはＳ１００２からＳ１００３に進む。
【０１８５】
Ｓ１００３において、ＣＰＵ２０５は、第１０のコマンドに対して肯定を示す応答信号を給電装置１００に送信するように変復調回路２０４を制御する。第１０のコマンドに対する応答信号が給電装置１００に送信された場合、本フローチャートは終了する。
【０１８６】
Ｓ１００４において、ＣＰＵ２０５は、変復調回路２０４から供給された解析結果から変復調回路２０４が受信したコマンドが第１１のコマンドであるか否かを判定する。ＣＰＵ２０５によって、変復調回路２０４が受信したコマンドが第１１のコマンドでないと判定された場合（Ｓ１００４でＮｏ）、本フローチャートはＳ１００４からＳ１００７に進む。ＣＰＵ２０５によって、変復調回路２０４が受信したコマンドが第１１のコマンドであると判定された場合（Ｓ１００４でＹｅｓ）、本フローチャートはＳ１００４からＳ１００５に進む。
【０１８７】
Ｓ１００５において、ＣＰＵ２０５は、電子機器２００の状態を、第２の充電モードから第２の充電モードになる前の状態に変更するように制御する。この場合、本フローチャートはＳ１００５からＳ１００６に進む。
【０１８８】
Ｓ１００６において、ＣＰＵ２０５は、第１１のコマンドに対して肯定を示す応答信号を給電装置１００に送信するように変復調回路２０４を制御する。第１１のコマンドに対する応答信号が給電装置１００に送信された場合、本フローチャートは終了する。
【０１８９】
Ｓ１００７において、ＣＰＵ２０５は、変復調回路２０４から供給された解析結果から変復調回路２０４が受信したコマンドが第１２のコマンドであるか否かを判定する。ＣＰＵ２０５によって、変復調回路２０４が受信したコマンドが第１２のコマンドでないと判定された場合（Ｓ１００７でＮｏ）、本フローチャートはＳ１００７からＳ１００９に進む。ＣＰＵ２０５によって、変復調回路２０４が受信したコマンドが第１２のコマンドであると判定された場合（Ｓ１００７でＹｅｓ）、本フローチャートはＳ１００７からＳ１００８に進む。
【０１９０】
Ｓ１００８において、ＣＰＵ２０５は、ＲＯＭ２０６に記録されている通信情報を第１２のコマンドに対する応答信号として給電装置１００に送信するように変復調回路２０４を制御する。第１２のコマンドに対する応答信号が給電装置１００に送信された場合、本フローチャートは終了する。
【０１９１】
Ｓ１００９において、ＣＰＵ２０５は、変復調回路２０４から供給された解析結果から変復調回路２０４が受信したコマンドが第１４のコマンドであるか否かを判定する。ＣＰＵ２０５によって、変復調回路２０４が受信したコマンドが第１４のコマンドでないと判定された場合（Ｓ１００９でＮｏ）、本フローチャートはＳ１００９から図１１のＳ１１０１に進む。ＣＰＵ２０５によって、変復調回路２０４が受信したコマンドが第１４のコマンドであると判定された場合（Ｓ１００９でＹｅｓ）、本フローチャートはＳ１００９からＳ１０１０に進む。
【０１９２】
Ｓ１０１０において、ＣＰＵ２０５は、ＲＯＭ２０６に記録されている認証情報を第１４のコマンドに対する応答信号として給電装置１００に送信するように変復調回路２０４を制御する。第１４のコマンドに対する応答信号が給電装置１００に送信された場合、本フローチャートは終了する。
【０１９３】
Ｓ１１０１において、ＣＰＵ２０５は、変復調回路２０４から供給された解析結果から変復調回路２０４が受信したコマンドが第１７のコマンドであるか否かを判定する。ＣＰＵ２０５によって、変復調回路２０４が受信したコマンドが第１７のコマンドでないと判定された場合（Ｓ１１０１でＮｏ）、本フローチャートはＳ１１０１からＳ１１０３に進む。ＣＰＵ２０５によって、変復調回路２０４が受信したコマンドが第１７のコマンドであると判定された場合（Ｓ１１０１でＹｅｓ）、本フローチャートはＳ１１０１からＳ１１０２に進む。
【０１９４】
Ｓ１１０２において、ＣＰＵ２０５は、後述の通信モード変更処理を行う。ＣＰＵ２０５によって、通信モード変更処理が行われた場合、本フローチャートは終了する。
【０１９５】
Ｓ１１０３において、ＣＰＵ２０５は、変復調回路２０４から供給された解析結果から変復調回路２０４が受信したコマンドが第１８のコマンドであるか否かを判定する。ＣＰＵ２０５によって、変復調回路２０４が受信したコマンドが第１８のコマンドでないと判定された場合（Ｓ１１０３でＮｏ）、本フローチャートはＳ１１０３からＳ１１０６に進む。ＣＰＵ２０５によって、変復調回路２０４が受信したコマンドが第１８のコマンドであると判定された場合（Ｓ１１０３でＹｅｓ）、本フローチャートはＳ１１０３からＳ１１０４に進む。
【０１９６】
Ｓ１１０４において、ＣＰＵ２０５は、電子機器２００の状態を、通信モードから通信モードになる前の状態に変更するように制御する。この場合、本フローチャートはＳ１１０４からＳ１１０５に進む。
【０１９７】
Ｓ１１０５において、ＣＰＵ２０５は、第１８のコマンドに対して肯定を示す応答信号を給電装置１００に送信するように変復調回路２０４を制御する。第１８のコマンドに対する応答信号が給電装置１００に送信された場合、本フローチャートは終了する。
【０１９８】
Ｓ１１０６において、ＣＰＵ２０５は、変復調回路２０４から供給された解析結果から変復調回路２０４が受信したコマンドが第１６のコマンドであるか否かを判定する。ＣＰＵ２０５によって、変復調回路２０４が受信したコマンドが第１６のコマンドでないと判定された場合（Ｓ１１０６でＮｏ）、本フローチャートはＳ１１０６からＳ１１０８に進む。ＣＰＵ２０５によって、変復調回路２０４が受信したコマンドが第１６のコマンドであると判定された場合（Ｓ１１０６でＹｅｓ）、本フローチャートはＳ１１０６からＳ１１０７に進む。
【０１９９】
Ｓ１１０７において、ＣＰＵ２０５は、後述の送信処理を行う。ＣＰＵ２０５によって、送信処理が行われた場合、本フローチャートは終了する。
【０２００】
Ｓ１１０８において、ＣＰＵ２０５は、変復調回路２０４から供給された解析結果から変復調回路２０４が受信したコマンドが第１３のコマンドであるか否かを判定する。ＣＰＵ２０５によって、変復調回路２０４が受信したコマンドが第１３のコマンドでないと判定された場合（Ｓ１１０８でＮｏ）、本フローチャートはＳ１１０８からＳ１１１０に進む。ＣＰＵ２０５によって、変復調回路２０４が受信したコマンドが第１３のコマンドであると判定された場合（Ｓ１１０８でＹｅｓ）、本フローチャートはＳ１１０８からＳ１１０９に進む。
【０２０１】
Ｓ１１０９において、ＣＰＵ２０５は、第１３のコマンドに応じて、通信部２１２の通信方式を設定する。この場合、ＣＰＵ２０５は、第１３のコマンドに対して肯定を示す応答信号を給電装置１００に送信するように変復調回路２０４を制御する。第１３のコマンドに対する応答信号が給電装置１００に送信された場合、本フローチャートは終了する。
【０２０２】
Ｓ１１１０において、ＣＰＵ２０５は、変復調回路２０４から供給された解析結果に含まれるコマンドコードに応じた処理を行う。この場合、本フローチャートは終了する。ＣＰＵ２０５によって、コマンドコードに応じて、変復調回路２０４が受信したコマンドが第５のコマンドであると判定された場合、ＣＰＵ２０５は、無効にした受電手段に対して有効にする処理を行う。この場合、本フローチャートは終了する。
【０２０３】
ＣＰＵ２０５によって、コマンドコードに応じて、変復調回路２０４が受信したコマンドが第１５のコマンドであると判定された場合、ＣＰＵ２０５は、第１５のコマンドに含まれる認証情報に応じて、通信部１１２と通信を行うために認証を行う。この場合、本フローチャートは終了する。
【０２０４】
（給電準備処理）
電子機器２００によってＳ８０９で行われる給電準備処理について、図１２のフローチャートを用いて説明する。
【０２０５】
Ｓ１２０１において、ＣＰＵ２０５は、電子機器２００の状態を、現在の状態から給電準備モードに変更するように電子機器２００を制御する。この場合、本フローチャートはＳ１２０１からＳ１２０２に進む。給電準備モードとは、給電装置１００から送信される電力に応じて、電子機器２００が検出情報を検出するためのモードである。この場合、ＣＰＵ２０５は、タイマー２１１を制御して、電子機器２００が給電準備モードになってから経過した時間を計測する。電子機器２００は、給電準備モードになって場合、給電装置１００から送信される給電準備処理のための電力を受信するための処理及び検出情報を検出するための処理を行う。
【０２０６】
Ｓ１２０２において、ＣＰＵ２０５は、給電装置１００から送信される給電準備処理のための電力を受信しながら、検出情報を検出するように整合回路２０２、変復調回路２０４、整流平滑回路２０３、レギュレータ２０８及び充電制御部２０９を制御する。この場合、本フローチャートは、Ｓ１２０２からＳ１２０３に進む。
【０２０７】
Ｓ１２０３において、ＣＰＵ２０５は、タイマー２１１によって計測される時間が、第２のコマンドに含まれる時間情報によって示される時間に達したか否かを判定する。ＣＰＵ２０５によって、タイマー２１１によって計測される時間が、第２のコマンドに含まれる時間情報によって示される時間に達していないと判定された場合（Ｓ１２０３でＮｏ）、本フローチャートはＳ１２０３からＳ１２０２に戻る。ＣＰＵ２０５によって、タイマー２１１によって計測される時間が、第２のコマンドに含まれる時間情報によって示される時間に達したと判定された場合（Ｓ１２０３でＹｅｓ）、本フローチャートは終了する。ＣＰＵ２０５によって、タイマー２１１によって計測される時間が、第２のコマンドに含まれる時間情報によって示される時間に達したと判定された場合、ＣＰＵ２０５は、検出情報の検出を停止するように制御する。この場合、ＣＰＵ２０５は、検出情報の検出を停止するように整合回路２０２、変復調回路２０４、整流平滑回路２０３、レギュレータ２０８及び充電制御部２０９を制御する。
【０２０８】
（充電処理）
電子機器２００によってＳ９０８で行われる充電処理について、図１３のフローチャートを用いて説明する。
【０２０９】
Ｓ１３０１において、ＣＰＵ２０５は、充電制御部２０９が電池２１０を充電できるか否かを判定する。なお、電池２１０が満充電である場合、ＣＰＵ２０５は、充電制御部２０９が電池２１０を充電できないと判定する。電子機器２００に不図示のＡＣ電源が接続された場合、ＣＰＵ２０５は、充電制御部２０９が電池２１０を充電できないと判定する。給電装置１００と電子機器２００との間に通信エラーが発生した場合、ＣＰＵ２０５は、充電制御部２０９が電池２１０を充電できないと判定する。ＣＰＵ２０５によって、充電制御部２０９が電池２１０を充電できないと判定された場合（Ｓ１３０１でＮｏ）、本フローチャートはＳ１３０１からＳ１３０９に進む。なお、電池２１０が満充電でなく、電子機器２００に不図示のＡＣ電源が接続されておらず、給電装置１００と電子機器２００との間に通信エラーが発生していない場合、ＣＰＵ２０５は、充電制御部２０９が電池２１０を充電できると判定する。ＣＰＵ２０５によって、充電制御部２０９が電池２１０を充電できると判定された場合（Ｓ１３０１でＹｅｓ）、本フローチャートはＳ１３０１からＳ１３０２に進む。
【０２１０】
Ｓ１３０２において、ＣＰＵ２０５は、通信部２１２がデータを給電装置１００に送信しているか否かを判定する。ＣＰＵ２０５によって、通信部２１２がデータを給電装置１００に送信していると判定された場合（Ｓ１３０２でＹｅｓ）、本フローチャートはＳ１３０２からＳ１３０３に進む。ＣＰＵ２０５によって、通信部２１２がデータを給電装置１００に送信していないと判定された場合（Ｓ１３０２でＮｏ）、本フローチャートはＳ１３０２からＳ１３０８に進む。
【０２１１】
Ｓ１３０３において、ＣＰＵ２０５は、データの送信を継続するように通信部２１２を制御する。この場合、本フローチャートは、Ｓ１３０３からＳ１３０４に進む。
【０２１２】
Ｓ１３０４において、ＣＰＵ２０５は、電池２１０の充電を開始するように充電制御部２０９を制御する。電池２１０の充電が開始された場合、本フローチャートはＳ１３０４からＳ１３０５に進む。
【０２１３】
Ｓ１３０５において、ＣＰＵ２０５は、第７のコマンドに対して肯定を示す応答信号を給電装置１００に送信するように変復調回路２０４を制御する。この場合、本フローチャートはＳ１３０５からＳ１３０６に進む。
【０２１４】
Ｓ１３０６において、ＣＰＵ２０５は、電池２１０が満充電になったか否かを充電制御部２０９から検出される残容量情報に応じて判定する。ＣＰＵ２０５によって、電池２１０が満充電であると判定された場合（Ｓ１３０６でＹｅｓ）、本フローチャートはＳ１３０６からＳ１３０７に進む。ＣＰＵ２０５によって、電池２１０が満充電でないと判定された場合（Ｓ１３０６でＮｏ）、電池２１０の充電を継続しながら、本フローチャートは終了する。なお、ＣＰＵ２０５によって電池２１０が満充電であると判定された場合、Ｓ１３０７の処理を行うようにする。
【０２１５】
Ｓ１３０７において、ＣＰＵ２０５は、電池２１０の充電を停止するように充電制御部２０９を制御する。この場合、本フローチャートは終了する。
【０２１６】
Ｓ１３０８において、ＣＰＵ２０５は、電池２１０の充電を開始するように充電制御部２０９を制御する。電池２１０の充電が開始された場合、本フローチャートはＳ１３０８からＳ１３０５に進む。
【０２１７】
Ｓ１３０９において、ＣＰＵ２０５は、ＲＯＭ２０６にあらかじめ記録されているエラー情報を第７のコマンドに対する応答信号として、給電装置１００に送信するように変復調回路２０４を制御する。この場合、本フローチャートは終了する。
【０２１８】
（通信モード変更処理）
電子機器２００によってＳ１１０２で行われる通信モード変更処理について、図１４のフローチャートを用いて説明する。
【０２１９】
Ｓ１４０１において、ＣＰＵ２０５は、電子機器２００の状態が第１の充電モード及び第２の充電モードのいずれか一つであるか否かを判定する。ＣＰＵ２０５によって、電子機器２００の状態が第１の充電モード及び第２の充電モードのいずれかであると判定された場合（Ｓ１４０１でＹｅｓ）、本フローチャートは、Ｓ１４０１からＳ１４０２に進む。ＣＰＵ２０５によって、電子機器２００の状態が第１の充電モード及び第２の充電モードのいずれでもないと判定された場合（Ｓ１４０１でＮｏ）、本フローチャートは、Ｓ１４０１からＳ１４０４に進む。
【０２２０】
Ｓ１４０２において、ＣＰＵ２０５は、電子機器２００の状態を通信モードに変更するように電子機器２００に制御する。この場合、本フローチャートはＳ１４０２からＳ１４０３に進む。
【０２２１】
Ｓ１４０３において、ＣＰＵ２０５は、第１７のコマンドに対して肯定を示す応答信号を給電装置１００に送信するように変復調回路２０４を制御する。この場合、本フローチャートは終了する。
【０２２２】
Ｓ１４０４において、ＣＰＵ２０５は、電池２１０の残容量が所定値以上であるか否かを判定する。なお、この所定値は、あらかじめＲＯＭ２０６に記録されているものでも、ＣＰＵ２０５によって設定されるものであってもよく、電子機器２００がデータを給電装置１００に送信するために必要な電池２１０の残容量を示す閾値であればよいものとする。
【０２２３】
ＣＰＵ２０５によって、電池２１０の残容量が所定値以上であると判定された場合（Ｓ１４０４でＹｅｓ）、本フローチャートはＳ１４０４からＳ１４０５に進む。ＣＰＵ２０５によって、電池２１０の残容量が所定値以上でないと判定された場合（Ｓ１４０４でＮｏ）、本フローチャートはＳ１４０４からＳ１４０９に進む。
【０２２４】
Ｓ１４０５において、ＣＰＵ２０５は、電子機器２００の状態が電源オン状態か否かを判定する。ＣＰＵ２０５によって、電子機器２００の状態が電源オン状態でないと判定された場合（Ｓ１４０５でＮｏ）、本フローチャートはＳ１４０５からＳ１４１０に進む。ＣＰＵ２０５によって、電子機器２００の状態が電源オン状態であると判定された場合（Ｓ１４０５でＹｅｓ）、本フローチャートはＳ１４０５からＳ１４０６に進む。
【０２２５】
Ｓ１４０６において、ＣＰＵ２０５は、電子機器２００の状態を通信モードに変更するように電子機器２００に制御する。この場合、本フローチャートはＳ１４０６からＳ１４０７に進む。
【０２２６】
Ｓ１４０７において、ＣＰＵ２０５は、第１７のコマンドに対して肯定を示す応答信号を給電装置１００に送信するように変復調回路２０４を制御する。この場合、本フローチャートは終了する。
【０２２７】
Ｓ１４０８において、ＣＰＵ２０５は後述の残容量検出処理を行う。ＣＰＵ２０５によって、残容量検出処理が行われた場合、本フローチャートは終了する。
【０２２８】
Ｓ１４０９において、ＣＰＵ２０５は、ＲＯＭ２０６にあらかじめ記録されているエラー情報を第１７のコマンドに対する応答信号として、給電装置１００に送信するように変復調回路２０４を制御する。この場合、本フローチャートは終了する。
【０２２９】
Ｓ１４１０において、ＣＰＵ２０５は、電池２１０から供給される電力を通信部２１２に供給するようにレギュレータ２０８を制御する。この場合、本フローチャートはＳ１４１０からＳ１４０６に進む。撮像部２１３で撮像された映像データを給電装置１００に送信する場合は、通信部２１２、撮像部２１３の記録部２１３ａ及び撮像部２１３の記録媒体２１３ｂにも電池２１０から供給される電力を供給するようにレギュレータ２０８を制御する。なお、この場合、ＣＰＵ２０５は、記録部２１３ａ及び記録媒体２１３ｂ以外の撮像部２１３の各部に対しては、電池２１０から供給される電力を供給しないようにレギュレータ２０８を制御する。
【０２３０】
（送信処理）
電子機器２００によってＳ１１０７で行われる送信処理について、図１５のフローチャートを用いて説明する。
【０２３１】
Ｓ１５０１において、ＣＰＵ２０５は、通信部２１２がデータを送信できるか否かを判定する。なお、給電装置１００、電池２１０及び不図示のＡＣ電源のいずれかから通信部２１２に電力が供給されていない場合、ＣＰＵ２０５は、通信部２１２がデータを給電装置１００に送信できないと判定する。また、電子機器２００に給電装置１００から要求されるデータが格納されていない場合、ＣＰＵ２０５は、通信部２１２がデータを給電装置１００に送信できないと判定する。また、通信部２１２と通信部１１２との通信認証が完了していない場合、ＣＰＵ２０５は、通信部２１２がデータを給電装置１００に送信できないと判定する。
【０２３２】
ＣＰＵ２０５によって、通信部２１２がデータを給電装置１００に送信できないと判定された場合（Ｓ１５０１でＮｏ）、本フローチャートはＳ１５０１からＳ１５０６に進む。
【０２３３】
なお、通信部２１２に電池２１０及び不図示のＡＣ電源のいずれかから電力が供給され、電子機器２００に給電装置１００から要求されるデータが格納され、通信部２１２と通信部１１２との認証が完了した場合、ＣＰＵ２０５は、通信部２１２がデータを給電装置１００に送信できると判定する。ＣＰＵ２０５によって通信部２１２がデータを給電装置１００に送信できると判定された場合（Ｓ１５０１でＹｅｓ）、本フローチャートはＳ１５０１からＳ１５０２に進む。
【０２３４】
Ｓ１５０２において、ＣＰＵ２０５は、データを給電装置１００に送信するように通信部２１２を制御する。この場合、本フローチャートは、Ｓ１５０２からＳ１５０３に進む。
【０２３５】
Ｓ１５０３において、ＣＰＵ２０５は、第１６のコマンドに対して肯定を示す応答信号を給電装置１００に送信するように変復調回路２０４を制御する。この場合、本フローチャートは、Ｓ１５０３からＳ１５０４に進む。
【０２３６】
Ｓ１５０４において、ＣＰＵ２０５は、通信部２１２による給電装置１００へのデータの送信が終了したか否かを判定する。ＣＰＵ２０５によって、通信部２１２による給電装置１００へのデータの送信が終了したと判定された場合（Ｓ１５０４でＹｅｓ）、本フローチャートは、Ｓ１５０４からＳ１５０５に進む。ＣＰＵ２０５によって、通信部２１２による給電装置１００へのデータの送信が終了していないと判定された場合（Ｓ１５０４でＮｏ）、本フローチャートは終了する。この場合、ＣＰＵ２０５は、給電装置１００へのデータの送信を継続して行うように通信部２１２を制御する。なお、ＣＰＵ２０５によって、通信部２１２による給電装置１００へのデータの送信が終了したと判定された場合は、Ｓ１５０５の処理を行うようにする。
【０２３７】
Ｓ１５０５において、ＣＰＵ２０５は、電子機器２００の状態を、通信モードから通信モードになる前の状態に変更するように制御する。この場合、本フローチャートは終了する。
【０２３８】
Ｓ１５０６において、ＣＰＵ２０５は、ＲＯＭ２０６にあらかじめ記録されているエラー情報を第１６のコマンドに対する応答信号として、給電装置１００に送信するように変復調回路２０４を制御する。この場合、本フローチャートは終了する。
【０２３９】
（残容量検出処理）
電子機器２００によってＳ１４０８で行われる残容量検出処理について、図１６のフローチャートを用いて説明する。
【０２４０】
Ｓ１６０１において、ＣＰＵ２０５は、電池２１０の残容量が所定値以上であるか否かを判定する。なお、この所定値は、あらかじめＲＯＭ２０６に記録されているものでも、ＣＰＵ２０５によって設定されるものであってもよく、電子機器２００がデータを給電装置１００に送信するために必要な電池２１０の残容量を示す閾値であればよいものとする。
【０２４１】
ＣＰＵ２０５によって、電池２１０の残容量が所定値以上であると判定された場合（Ｓ１６０１でＹｅｓ）、本フローチャートはＳ１６０１からＳ１６０２に進む。ＣＰＵ２０５によって、電池２１０の残容量が所定値以上でないと判定された場合（Ｓ１６０１でＮｏ）、本フローチャートはＳ１６０１からＳ１６０６に進む。
【０２４２】
Ｓ１６０２において、ＣＰＵ２０５は、電子機器２００が電源オン状態から電源オフ状態になるように電子機器２００が操作されたか否かを判定する。ＣＰＵ２０５によって、電子機器２００が電源オン状態から電源オフ状態になるように電子機器２００が操作されたと判定された場合（Ｓ１６０２でＹｅｓ）、本フローチャートはＳ１６０２からＳ１６０３に進む。ＣＰＵ２０５によって、電子機器２００が電源オン状態から電源オフ状態になるように電子機器２００が操作されていないと判定された場合（Ｓ１６０２でＮｏ）、本フローチャートはＳ１６０２からＳ１６０４に進む。
【０２４３】
Ｓ１６０３において、ＣＰＵ２０５は、電池２１０から供給される電力を通信部２１２に供給した状態のままで電子機器２００を電源オフ状態にするようにレギュレータ２０８を制御する。この場合、本フローチャートはＳ１６０３からＳ１６０４に進む。撮像部２１３で撮像された映像データを給電装置１００に送信している場合は、通信部２１２、撮像部２１３の記録部２１３ａ及び撮像部２１３の記録媒体２１３ｂにも電池２１０から供給される電力が供給された状態のまま電子機器２００を電源オフ状態にするようにレギュレータ２０８を制御する。
【０２４４】
なお、この場合、ＣＰＵ２０５は、記録部２１３ａ及び記録媒体２１３ｂ以外の撮像部２１３の各部に対しては、電池２１０から供給される電力を供給しないようにレギュレータ２０８を制御する。
【０２４５】
Ｓ１６０４において、ＣＰＵ２０５は、給電装置１００へのデータの送信を継続して行うように通信部２１２を制御する。この場合は、本フローチャートはＳ１６０４からＳ１６０５に進む。
【０２４６】
Ｓ１６０５において、ＣＰＵ２０５は、通信部２１２による給電装置１００へのデータの送信が終了したか否かを判定する。ＣＰＵ２０５によって、通信部２１２による給電装置１００へのデータの送信が終了したと判定された場合（Ｓ１６０５でＹｅｓ）、本フローチャートは終了する。ＣＰＵ２０５によって、通信部２１２による給電装置１００へのデータの送信が終了していないと判定された場合（Ｓ１６０５でＮｏ）、本フローチャートは、Ｓ１６０５からＳ１６０１に戻る。
【０２４７】
Ｓ１６０６において、ＣＰＵ２０５は、ＲＯＭ２０６にあらかじめ記録されているエラー情報を第１６のコマンドに対する応答信号として、給電装置１００に送信するように変復調回路２０４を制御する。この場合、本フローチャートは終了する。
【０２４８】
（エラー処理）
電子機器２００によってＳ８０５で行われるエラー処理について、図１７のフローチャートを用いて説明する。なお、エラー処理は、Ｓ８０５で行われる以外にもＣＰＵ２０５によって、電子機器２００にエラーが発生したと検出された場合に行われてもよいものとする。なお、電子機器２００に発生するエラーとは、電子機器２００内に発生するエラーであっても、給電装置１００と電子機器２００との間に発生する通信エラーであってもよいものとする。また、例えば、受電アンテナ２０１に異常な電流が流れた場合、ＣＰＵ２０５によって、電子機器２００内にエラーが発生したと検出される。
【０２４９】
Ｓ１７０１において、ＣＰＵ２０５は、充電制御部２０９によって電池２１０の充電が行われているか否かを判定する。ＣＰＵ２０５によって、電池２１０の充電が行われていると判定された場合（Ｓ１７０１のＹｅｓ）、本フローチャートは、Ｓ１７０１からＳ１７０２に進む。ＣＰＵ２０５によって、電池２１０の充電が行われていないと判定された場合（Ｓ１７０１のＮＯ）、本フローチャートは、Ｓ１７０１からＳ１７０３に進む。
【０２５０】
Ｓ１７０２において、ＣＰＵ２０５は、電池２１０の充電を停止するように充電制御部２０９を制御する。さらにＣＰＵ２０５は、電子機器２００の状態が第１の充電モードである場合、電子機器２００の状態を第１の充電モードになる前の状態に戻す。また、ＣＰＵ２０５は、電子機器２００の状態が第２の充電モードである場合、電子機器２００の状態を第２の充電モードになる前の状態に戻す。この場合、本フローチャートはＳ１７０２からＳ１７０３に進む。
【０２５１】
Ｓ１７０３において、ＣＰＵ２０５は、通信部２１２によって、映像データや音声データが給電装置１００に送信されているか否かを判定する。ＣＰＵ２０５によって、通信部２１２が映像データや音声データを給電装置１００に送信していると判定された場合（Ｓ１７０３でＹｅｓ）本フローチャートは、Ｓ１７０３からＳ１７０４に進む。ＣＰＵ２０５によって、通信部２１２が映像データや音声データを給電装置１００に送信していていないと判定された場合（Ｓ１７０３でＮｏ）本フローチャートは、Ｓ１７０３からＳ１７０５に進む。
【０２５２】
Ｓ１７０４において、ＣＰＵ２０５は、通信部２１２による映像データや音声データの給電装置１００への送信を停止するように通信部２１２を制御する。さらに、ＣＰＵ２０５は、電子機器２００の状態が通信モードである場合、電子機器２００の状態を、通信モードになる前の状態に戻るように制御する。この場合、本フローチャートはＳ１７０４からＳ１７０５に進む。
【０２５３】
Ｓ１７０５において、ＣＰＵ２０５は、変復調回路２０４がコマンドを受信したか否かを判定する。ＣＰＵ２０５によって、変復調回路２０４がコマンドを受信していないと判定された場合（Ｓ１７０５でＮｏ）、本フローチャートは終了する。ＣＰＵ２０５によって、変復調回路２０４がコマンドを受信したと判定された場合（Ｓ１７０５でＹｅｓ）、本フローチャートはＳ１７０５からＳ１７０６に進む。
【０２５４】
Ｓ１７０６において、ＣＰＵ２０５は、あらかじめＲＯＭ２０６に記録されているエラー情報を変復調回路２０４で受信されたコマンドに対する応答信号として給電装置１００に送信するための負荷変調を行うように変復調回路２０４を制御する。エラー情報が給電装置１００に送信された場合、本フローチャートは終了する。
【０２５５】
なお、Ｓ１７０６において、ＣＰＵ２０５は、変復調回路２０４が受信したコマンドに対する応答信号としてエラー情報を給電装置１００に送信するようにした。しかし、これに限られず、変復調回路２０４が受信したコマンドが特定のコマンドである場合に、ＣＰＵ２０５は、特定のコマンドに対する応答信号として、エラー情報を給電装置１００に送信するようにしてもよい。なお、特定のコマンドとは、例えば、第１のコマンドである。
【０２５６】
図７から図１１のコマンド受信処理、図１２の給電準備処理、図１３の充電処理及び図１４の通信モード変更処理は、ＣＰＵ２０５がＲＯＭ２０６に記憶されているコンピュータプログラムを実行することにより実現することができる。また、図１５の送信処理、図１６の残容量検出処理及び図１７のエラー処理は、ＣＰＵ２０５がＲＯＭ２０６に記憶されているコンピュータプログラムを実行することにより実現することができる。
【０２５７】
このように、実施例１に係る給電装置１００は、電池２１０の充電のための電力を電子機器２００に送信する前に、電子機器２００が給電装置１００から送信される電力によって、電子機器２００全体を動作させることができるか否かを判定するようにした。これにより、電子機器２００が給電装置１００から送信される電力によって、電子機器２００全体を動作させることができる場合、給電装置１００は、電子機器２００に適切な状態で充電を行わせるようにすることができる。この場合、給電装置１００は電子機器２００が電池２１０の充電を行いながら、通信部２１２及び撮像部２１３を含む電子機器２００全体を動作させるためのモードに電子機器２００を設定することができる。
【０２５８】
また、給電装置１００から送信される電力によって、電子機器２００が電池２１０の充電だけを行うことができる場合、給電装置１００は、電子機器２００に適切な状態で充電を行わせるようにすることができる。この場合、給電装置１００は、電子機器２００が通信部２１２及び撮像部２１３の動作を停止させながら、電池２１０の充電を行うためのモードに電子機器２００を設定することができる。
【０２５９】
さらに、実施例１に係る給電装置１００は、電子機器２００が給電装置１００から送信される電力によって、電子機器２００全体を動作させることができるか否かを電子機器２００で検出された検出情報に応じて判定するようにした。
【０２６０】
これにより、給電装置１００と電子機器２００との距離または、給電アンテナ１０８と受電アンテナ２０１との向きが変化した場合であっても、給電装置１００は、電子機器２００から取得した検出情報により、電子機器２００に送信する電力を調整できる。したがって、給電装置１００は、電子機器２００に適切な充電を行わせるようにすることができる。
【０２６１】
また、給電装置１００は、電子機器２００にデータの送信を要求する場合、データの送信を電子機器２００に指示する前に、電子機器２００が給電装置１００から送信される電力によって、通信部２１２を動作させることができるか否かを判定するようにした。これにより、電子機器２００が給電装置１００から送信される電力によって、通信部２１２を動作させることができることを確認したうえで、給電装置１００は、電子機器２００からデータの受信を行うことができる。
【０２６２】
さらに、給電装置１００は、電子機器２００が給電装置１００から送信される電力によって、通信部２１２を動作させることができない場合、電池２１０の残容量がデータの送信を行うのに十分であるか否かを判定するようにした。この場合、給電装置１００は、電池２１０の残容量がデータの送信を行うのに十分であることを確認したうえで、給電装置１００は、電子機器２００からデータの受信を行うことができる。
【０２６３】
したがって、この場合、給電装置１００は、電池２１０の残容量が低下することによって、電子機器２００からのデータの送信が中断されないようにすることができる。
【０２６４】
また、実施例１に係る電子機器２００は、給電装置１００からデータの送信を要求された場合、電子機器２００の電源オフ状態であっても、データの送信を行うための手段を動作させてデータの送信を行うようにするようにした。これにより、ユーザが、給電装置１００にデータを送信するための操作を電子機器２００に対して送信することなく、電子機器２００は、給電装置１００に対してデータの送信を行うことができる。
【０２６５】
さらに、電子機器２００は、給電装置１００へのデータの送信が終了した場合、データの送信を行う前の状態に戻るようにした。このため、電子機器２００のデータの送信を行う前の状態が電源オフ状態である場合、ユーザはデータの送信が終了した電子機器２００に対して電源をオフにする操作を行う必要がなくなるので、操作性を向上させることができる。
【０２６６】
（他の実施例）
本発明に係る給電装置１００は、実施例１で説明した給電装置１００に限定されるものではない。また、本発明に係る電子機器２００も実施例１で説明した電子機器２００に限定されるものではない。例えば、本発明に係る給電装置１００及び電子機器２００は、複数の装置から構成されるシステムにより実現することも可能である。
【０２６７】
また、実施例１で説明した様々な処理及び機能は、コンピュータプログラムにより実現することも可能である。この場合、本発明に係るコンピュータプログラムは、コンピュータ（ＣＰＵ等を含む）で実行可能であり、実施例１で説明した様々な機能を実現することになる。
【０２６８】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０２６９】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０２７０】
１００  給電装置
２００  電子機器
【図１】
0005693148.tif 000003
【図２】
0005693148.tif 000004
【図３】
0005693148.tif 000005
【図４】
0005693148.tif 000006
【図５】
0005693148.tif 000007
【図６】
0005693148.tif 000008
【図７】
0005693148.tif 000009
【図８】
0005693148.tif 000010
【図９】
0005693148.tif 000011
【図１０】
0005693148.tif 000012
【図１１】
0005693148.tif 000013
【図１２】
0005693148.tif 000014
【図１３】
0005693148.tif 000015
【図１４】
0005693148.tif 000016
【図１５】
0005693148.tif 000017
【図１６】
0005693148.tif 000018
【図１７】
0005693148.tif 000019